(57)【要約】【課題】  利用者の生体情報を測定するための装置を利用者に装着せずに利用者の健康を管理することができる携帯型測定機器、健康管理システム及び健康管理方法を提供する。【解決手段】  携帯電話機５０ａ等は、利用者Ｐａ等が携帯するための携帯電話機である。携帯電話機５０ａ等は、マイクロ波ドップラーセンサ１０ａ等と出力装置２０ａ等とを備える。マイクロ波ドップラーセンサ１０ａ等は、体動情報を利用者Ｐａ等に非接触で測定する。体動情報は、利用者Ｐａ等の体の動きに関する情報である。出力装置２０ａ等が、体動情報に基づいて、心拍情報を出力する。心拍情報は、利用者Ｐａ等の心拍に関する情報である。【選択図】      図１
2005237569.tif 000002
【特許請求の範囲】
【請求項１】
利用者が携帯するための携帯型測定機器（５０ａ，・・・，５０ａａ，・・・，５０ａｂ，・・・，１５０ａ，・・・，２５０ａ，・・・，４５０ａ，・・・）であって、
前記利用者の体の動きに関する情報である体動情報を、前記利用者に非接触で測定する測定装置（１０ａ，・・・，３０ａ，・・・，２１０ａ，・・・）と、
前記体動情報に基づいて、前記利用者の心拍に関する情報である心拍情報を出力する出力装置（２０ａ，・・・，２０ａｂ，・・・，１２０ａ，・・・，２２０ａ，・・・）と、
を備えた、
携帯型測定機器（５０ａ，・・・）。
【請求項２】
前記測定装置（１０ａ，・・・，３０ａ，・・・，２１０ａ，・・・）は、
前記利用者に向けてマイクロ波を送信する送信部（１１ａ，・・・）と、
前記利用者で前記マイクロ波が反射したものである反射波を受信する受信部（１２ａ，・・・）と、
を有する、
請求項１に記載の携帯型測定機器（５０ａ，・・・）。
【請求項３】
前記送信部（１１ａ，・・・）は、前記利用者の心臓付近に向けて前記マイクロ波を送信し、
前記反射波は、前記利用者の心臓付近の体表面で前記マイクロ波が反射したものである、
請求項２に記載の携帯型測定機器（５０ａ，・・・）。
【請求項４】
前記測定装置（１０ａ，・・・，３０ａ，・・・，２１０ａ，・・・）は、
前記マイクロ波の信号及び前記反射波の信号の少なくとも一方を増幅する増幅部（１５ａ，・・・，３３ａ，・・・）をさらに有する、
請求項２又は３のいずれかに記載の携帯型測定機器（５０ａ，・・・）。
【請求項５】
前記測定装置（１０ａ，・・・，３０ａ，・・・，２１０ａ，・・・）は、
前記マイクロ波に関する信号に対する前記反射波に関する信号の変化に関する情報である変化情報を演算する演算部（１６ａ，・・・，３４ａ，・・・）をさらに有する、
請求項２から４のいずれか１項に記載の携帯型測定機器（５０ａ，・・・）。
【請求項６】
前記測定装置（１０ａ，・・・，３０ａ，・・・，２１０ａ，・・・）は、
前記変化情報に基づいて、所定の周波数帯域の情報である帯域情報を抽出する抽出部（１４ａ，・・・，３２ａ，・・・）をさらに有する、
請求項５に記載の携帯型測定機器（５０ａ，・・・）。
【請求項７】
前記測定装置（１０ａ，・・・，３０ａ，・・・，２１０ａ，・・・）は、
前記帯域情報に基づいて、前記心拍情報を分析する分析部（１７ａ，・・・，３５ａ，・・・）をさらに有する、
請求項６に記載の携帯型測定機器（５０ａ，・・・）。
【請求項８】
前記測定装置（１０ａ，・・・，３０ａ，・・・，２１０ａ，・・・）は、
前記心拍情報に基づいて、前記利用者の異常を判定する判定部（１８ａ，・・・，３６ａ，・・・）をさらに有する、
請求項７に記載の携帯型測定機器（５０ａ，・・・）。
【請求項９】
前記出力装置（２０ａ，・・・，２０ａｂ，・・・，１２０ａ，・・・，２２０ａ，・・・）は、前記判定部（１８ａ，・・・，３６ａ，・・・）が判定した結果に基づいて、前記心拍情報を出力する、
請求項８に記載の携帯型測定機器（５０ａ，・・・）。
【請求項１０】
前記出力装置（２０ａ，・・・，２０ａｂ，・・・，１２０ａ，・・・）は、
前記心拍情報を、無線回線経由で送信することにより出力する送信出力部（２１ａ，・・・，２１ａｂ，・・・，１２１ａ，・・・）を有する、
請求項１から９のいずれか１項に記載の携帯型測定機器（５０ａ，・・・）。
【請求項１１】
前記体動情報に基づいて、前記心拍情報を記憶する記憶装置（２４０ａ，・・・）をさらに備え、
前記出力装置（２２０ａ，・・・）は、前記記憶装置（２４０ａ，・・・）を参照して、前記心拍情報を出力する、
請求項１から９のいずれか１項に記載の携帯型測定機器（２５０ａ，・・・，４５０ａ，・・・）。
【請求項１２】
利用者が着る上着であって、
請求項１１に記載の携帯型測定機器（５０ａ，・・・）を備えた、
上着。
【請求項１３】
請求項１０に記載の携帯型測定機器（５０ａ，・・・，５０ａａ，・・・，５０ａｂ，・・・，１５０ａ，・・・）と、
前記心拍情報を、前記無線回線経由で前記携帯型測定機器（５０ａ，・・・）から受信する管理機器（６０）と、
を備え、
前記利用者は複数存在し、
前記管理機器（６０）は、前記利用者を識別するための情報である識別情報を、前記無線回線経由で前記携帯型測定機器（５０ａ，・・・）からさらに受信する、
健康管理システム（１，１００）。
【請求項１４】
請求項１０に記載の携帯型測定機器（５０ａ，・・・）と、
前記心拍情報を、前記無線回線経由で前記携帯型測定機器（５０ａ，・・・）から受信する通信機器（１７０ａ，・・・）と、
前記心拍情報を、前記無線回線とは異なる回線である通信回線経由で前記通信機器（１７０ａ，・・・）から受信する管理機器（６０）と、
を備え、
前記利用者は複数存在し、
前記管理機器（６０，２６０）は、前記利用者を識別するための情報である識別情報を、前記通信回線経由で前記通信機器（１７０ａ，・・・）からさらに受信する、
健康管理システム（１，１００）。
【請求項１５】
前記携帯型測定機器（５０ａ，・・・）は、携帯電話機である、
請求項１３又は１４に記載の健康管理システム（１，１００，２００，３００，４００）。
【請求項１６】
請求項１１に記載の携帯型測定機器（２５０ａ，・・・，４５０ａ，・・・）と、
前記心拍情報を前記携帯型測定機器（２５０ａ，・・・，４５０ａ，・・・）から受け取る管理機器（２６０）と、
を備え、
前記利用者は複数存在し、
前記管理機器（２６０）は、前記利用者を識別するための情報である識別情報を、前記携帯型測定機器（２５０ａ，・・・，４５０ａ，・・・）からさらに受け取る、
健康管理システム（２００，３００，４００）。
【請求項１７】
請求項１１に記載の携帯型測定機器（２５０ａ，・・・，４５０ａ，・・・）と、
前記心拍情報を前記携帯型測定機器（２５０ａ，・・・，４５０ａ，・・・）から受け取る通信機器（３７０ａ，・・・）と、
前記心拍情報を、通信回線経由で前記通信機器（３７０ａ，・・・）から受信する管理機器（２６０）と、
を備え、
前記利用者は複数存在し、
前記管理機器（２６０）は、前記利用者を識別するための情報である識別情報を、前記通信回線経由で前記通信機器（３７０ａ，・・・）からさらに受信する、
健康管理システム（２００，３００，４００）。
【請求項１８】
利用者が携帯するための携帯型測定機器（５０ａ，・・・）において行われる健康管理方法であって、
前記利用者の体の動きに関する情報である体動情報が、前記利用者に非接触で測定される測定ステップと、
前記体動情報に基づいて、前記利用者の心拍に関する情報である心拍情報が出力される出力ステップと、
を備えた、
健康管理方法。
【発明の詳細な説明】
【技術分野】
【０００１】
本発明は、携帯型測定機器、健康管理システム及び健康管理方法に関する。
【背景技術】
【０００２】
従来から、利用者に携帯されることにより、利用者の健康が管理される機器が提案されている（特許文献１，２参照。）。
【特許文献１】特開２０００−６０８０７（第１−５頁、第１−８図）
【特許文献２】特開平１０−２３４６８８（第１−４頁、第１−５図）
【発明の開示】
【発明が解決しようとする課題】
【０００３】
しかし、従来の技術では、利用者の生体情報を測定するための装置が利用者に装着されることにより利用者の生体情報が測定されているため、利用者に煩雑であり利用者の生体情報が十分に測定されないことがある。例えば、利用者が忙しいときに、利用者の生体情報を測定するための装置が利用者に装着されないことがある。
そこで、本発明の課題は、利用者の生体情報を測定するための装置を利用者に装着せずに利用者の健康を管理することができる携帯型測定機器、健康管理システム及び健康管理方法を提供することにある。
【課題を解決するための手段】
【０００４】
請求項１に係る携帯型測定機器は、利用者が携帯するための携帯型測定機器であって、測定装置と出力装置とを備える。測定装置は、体動情報を利用者に非接触で測定する。体動情報は、利用者の体の動きに関する情報である。出力装置が、体動情報に基づいて、心拍情報を出力する。心拍情報は、利用者の心拍に関する情報である。
この携帯型測定機器では、利用者による携帯が行われる。測定装置が、体動情報を利用者に非接触で測定する。体動情報に基づいて、心拍情報を分析することができる。出力装置が、体動情報に基づいた情報すなわち心拍情報を受け取ることができる。出力装置が、体動情報に基づいて、心拍情報を出力する。
【０００５】
したがって、体動情報を利用者に非接触で測定するので、利用者の左胸ポケットに入れられることにより利用者の心拍による微弱な体動を測定することができれば、利用者の心拍に関する情報である心拍情報を利用者に非接触で測定して心拍情報を出力することができる。このため、利用者の生体情報を測定するための装置を利用者に装着せずに利用者の健康を管理することができる。
【０００６】
なお、心拍情報は、例えば、単位時間における心拍数に関する情報、単位時間における呼吸数に関する情報、心拍間隔に関する情報、覚醒度に関する情報、疲労度に関する情報、ストレス度に関する情報などである。
請求項２に係る携帯型測定機器は、請求項１に記載の携帯型測定機器であって、測定装置は、送信部と受信部とを有する。送信部は、利用者に向けてマイクロ波を送信する。受信部は、反射波を受信する。反射波は、利用者でマイクロ波が反射したものである。
【０００７】
この携帯型測定機器では、利用者による携帯が行われる。測定装置の送信部が、利用者に向けてマイクロ波を送信する。測定装置の受信部が、反射波を受信する。これにより、体動情報を取得することができる。体動情報に基づいて、心拍情報を分析することができる。出力装置が、体動情報に基づいた情報すなわち心拍情報を受け取ることができる。出力装置が、体動情報に基づいて、心拍情報を出力する。
【０００８】
したがって、反射波を受信するので、利用者の左胸ポケットに入れられることにより利用者の心拍による微弱な体動を測定することができれば、利用者の心拍に関する情報である心拍情報を利用者に非接触で測定して出力することができる。
請求項３に係る携帯型測定機器は、請求項２に記載の携帯型測定機器であって、送信部は、利用者の心臓付近に向けてマイクロ波を送信する。反射波は、利用者の心臓付近の体表面でマイクロ波が反射したものである。
【０００９】
この携帯型測定機器では、利用者による携帯が行われる。測定装置の送信部が、利用者の心臓付近に向けてマイクロ波を送信する。測定装置の受信部が、反射波を受信する。反射波が、利用者の心臓付近の体表面でマイクロ波が反射したものである。これにより、体動情報を取得することができる。体動情報に基づいて、心拍情報を分析することができる。出力装置が、体動情報に基づいた情報すなわち心拍情報を受け取ることができる。出力装置が、体動情報に基づいて、心拍情報を出力する。
【００１０】
したがって、利用者の心臓付近の体表面でマイクロ波が反射したものが反射波であるので、利用者の左胸ポケットに入れられることにより反射波を受信して分析することができる。このため、利用者の心拍による微弱な体動を測定して心拍情報を出力することができる。
請求項４に係る携帯型測定機器は、請求項２又は３のいずれかに記載の携帯型測定機器であって、測定装置は、増幅部をさらに有する。増幅部は、マイクロ波の信号及び反射波の信号の少なくとも一方を増幅する。
【００１１】
この携帯型測定機器では、利用者による携帯が行われる。例えば、利用者の左胸ポケットに入れられ得る。測定装置の送信部が、利用者に向けてマイクロ波を送信する。測定装置の受信部が、反射波を受信する。測定装置の増幅部が、マイクロ波の信号を受け取ることができる。測定装置の増幅部が、反射波の信号を受け取ることができる。測定装置の増幅部が、マイクロ波の信号及び反射波の信号の少なくとも一方を増幅する。これにより、体動情報を取得することができる。体動情報に基づいて、心拍情報を分析することができる。出力装置が、体動情報に基づいた情報すなわち心拍情報を受け取ることができる。出力装置が、体動情報に基づいて、心拍情報を出力する。
【００１２】
したがって、マイクロ波の信号及び反射波の信号の少なくとも一方を増幅するので、利用者の心拍による微弱な体動に関連した信号が微弱であっても、利用者の心拍による微弱な体動を測定して心拍情報を出力することができる。
請求項５に係る携帯型測定機器は、請求項２から４のいずれか１項に記載の携帯型測定機器であって、測定装置は、演算部をさらに有する。演算部は、変化情報を演算する。変化情報は、マイクロ波に関する信号に対する反射波に関する信号の変化に関する情報である。
【００１３】
この携帯型測定機器では、利用者による携帯が行われる。例えば、利用者の左胸ポケットに入れられ得る。測定装置の送信部が、利用者に向けてマイクロ波を送信する。測定装置の受信部が、反射波を受信する。測定装置の演算部が、マイクロ波に関する信号を受け取ることができる。測定装置の演算部が、反射波に関する信号を受け取ることができる。測定装置の演算部が、変化情報を演算する。変化情報が、マイクロ波に関する信号に対する反射波に関する信号の変化に関する情報である。変化情報に基づいて心拍情報を分析することができる。出力装置が、体動情報に基づいた情報すなわち心拍情報を受け取ることができる。出力装置が、体動情報に基づいて、心拍情報を出力する。
【００１４】
したがって、変化情報を演算するので、ドップラー効果を利用して利用者の心拍による微弱な体動を分析することができる。このため、利用者の心拍による微弱な体動を測定して心拍情報を出力することができる。
なお、マイクロ波に関する信号は、例えば、マイクロ波の信号を増幅した信号やマイクロ波の信号そのものなどである。反射波に関する信号は、例えば、反射波の信号を増幅した信号や反射波の信号そのものなどである。変化情報は、例えば、周波数の変化に関する情報、波長の変化に関する情報、スペクトル線の広がりの変化に関する情報などである。
【００１５】
請求項６に係る携帯型測定機器は、請求項５に記載の携帯型測定機器であって、測定装置は、変化情報に基づいて、抽出部をさらに有する。抽出部は、帯域情報を抽出する。帯域情報は、所定の周波数帯域の情報である。
この携帯型測定機器では、利用者による携帯が行われる。例えば、利用者の左胸ポケットに入れられ得る。測定装置の送信部が、利用者に向けてマイクロ波を送信する。測定装置の受信部が、反射波を受信する。測定装置の演算部が、マイクロ波に関する信号を受け取ることができる。測定装置の演算部が、反射波に関する信号を受け取ることができる。測定装置の演算部が、変化情報を演算する。変化情報が、マイクロ波に関する信号に対する反射波に関する信号の変化に関する情報である。測定装置の抽出部が、変化情報を受け取ることができる。測定装置の抽出部が、変化情報に基づいて、帯域情報を抽出する。帯域情報に基づいて心拍情報を分析することができる。出力装置が、体動情報に基づいた情報すなわち心拍情報を受け取ることができる。出力装置が、体動情報に基づいて、心拍情報を出力する。
【００１６】
したがって、変化情報に基づいて帯域情報を抽出するので、利用者の心拍による微弱な体動に関連した情報を変化情報から抽出することができる。このため、利用者の心拍による微弱な体動を測定して心拍情報を出力することができる。
請求項７に係る携帯型測定機器は、請求項６に記載の携帯型測定機器であって、測定装置は、分析部をさらに有する。分析部は、帯域情報に基づいて、心拍情報を分析する。
【００１７】
この携帯型測定機器では、利用者による携帯が行われる。例えば、利用者の左胸ポケットに入れられ得る。測定装置の送信部が、利用者に向けてマイクロ波を送信する。測定装置の受信部が、反射波を受信する。測定装置の演算部が、マイクロ波に関する信号を受け取ることができる。測定装置の演算部が、反射波に関する信号を受け取ることができる。測定装置の演算部が、変化情報を演算する。変化情報が、マイクロ波に関する信号に対する反射波に関する信号の変化に関する情報である。測定装置の抽出部が、変化情報を受け取ることができる。測定装置の抽出部が、変化情報に基づいて、帯域情報を抽出する。測定装置の分析部が、帯域情報を受け取ることができる。測定装置の分析部が、帯域情報に基づいて、利用者の心拍による微弱な体動を分析することができる。これにより、測定装置の分析部が、帯域情報に基づいて、心拍情報を分析する。出力装置が、体動情報に基づいた情報すなわち心拍情報を受け取ることができる。出力装置が、体動情報に基づいて、心拍情報を出力する。
【００１８】
したがって、帯域情報に基づいて心拍情報を分析するので、心拍情報を利用者に非接触で測定して出力することができる。
請求項８に係る携帯型測定機器は、請求項７に記載の携帯型測定機器であって、測定装置は、判定部をさらに有する。判定部は、心拍情報に基づいて、利用者の異常を判定する。
【００１９】
この携帯型測定機器では、利用者による携帯が行われる。例えば、利用者の左胸ポケットに入れられ得る。測定装置の送信部が、利用者に向けてマイクロ波を送信する。測定装置の受信部が、反射波を受信する。測定装置の演算部が、マイクロ波に関する信号を受け取ることができる。測定装置の演算部が、反射波に関する信号を受け取ることができる。測定装置の演算部が、変化情報を演算する。変化情報が、マイクロ波に関する信号に対する反射波に関する信号の変化に関する情報である。測定装置の抽出部が、変化情報を受け取ることができる。測定装置の抽出部が、変化情報に基づいて、帯域情報を抽出する。測定装置の分析部が、帯域情報を受け取ることができる。測定装置の分析部が、帯域情報に基づいて、利用者の心拍による微弱な体動を分析することができる。これにより、測定装置の分析部が、帯域情報に基づいて、心拍情報を分析する。測定装置の判定部が、心拍情報を受け取ることができる。測定装置の判定部が、心拍情報に基づいて、利用者の異常を判定する。出力装置が、体動情報に基づいた情報すなわち心拍情報を受け取ることができる。出力装置が、体動情報に基づいて、心拍情報を出力する。
【００２０】
したがって、心拍情報に基づいて利用者の異常を判定するので、心拍情報とともに利用者の異常に関する情報も出力することができる。このため、利用者の健康を管理することができる。
請求項９に係る携帯型測定機器は、請求項８に記載の携帯型測定機器であって、出力装置は、判定部が判定した結果に基づいて、心拍情報を出力する。
【００２１】
この携帯型測定機器では、利用者による携帯が行われる。例えば、利用者の左胸ポケットに入れられ得る。測定装置の送信部が、利用者に向けてマイクロ波を送信する。測定装置の受信部が、反射波を受信する。測定装置の演算部が、マイクロ波に関する信号を受け取ることができる。測定装置の演算部が、反射波に関する信号を受け取ることができる。測定装置の演算部が、変化情報を演算する。変化情報が、マイクロ波に関する信号に対する反射波に関する信号の変化に関する情報である。測定装置の抽出部が、変化情報を受け取ることができる。測定装置の抽出部が、変化情報に基づいて、帯域情報を抽出する。測定装置の分析部が、帯域情報を受け取ることができる。測定装置の分析部が、帯域情報に基づいて、利用者の心拍による微弱な体動を分析することができる。これにより、測定装置の分析部が、帯域情報に基づいて、心拍情報を分析する。測定装置の判定部が、心拍情報を受け取ることができる。測定装置の判定部が、心拍情報に基づいて、利用者の異常を判定する。出力装置が、体動情報に基づいた情報すなわち心拍情報を受け取ることができる。出力装置が、体動情報に基づいて、心拍情報を出力する。出力装置が、判定部が判定した結果に基づいて、心拍情報を出力する。
【００２２】
したがって、判定部が判定した結果に基づいて心拍情報を出力するので、心拍情報とともに利用者の異常に関する情報も出力することができる。このため、利用者の健康を管理することができる。
請求項１０に係る携帯型測定機器は、請求項１から９のいずれか１項に記載の携帯型測定機器であって、出力装置は、送信出力部を有する。送信出力部は、心拍情報を無線回線経由で送信することにより出力する。
【００２３】
この携帯型測定機器では、利用者による携帯が行われる。例えば、利用者の左胸ポケットに入れられ得る。測定装置が、体動情報を利用者に非接触で測定する。体動情報に基づいて、心拍情報を分析することができる。出力装置が、体動情報に基づいた情報すなわち心拍情報を受け取ることができる。出力装置の送信出力部が、体動情報に基づいて、心拍情報を無線回線経由で送信することにより、心拍情報を出力する。
【００２４】
したがって、心拍情報を無線回線経由で送信するので、携帯されながら心拍情報を出力することができる。また、利用者に異常があった場合に心拍情報をすぐに出力することができる。
請求項１１に係る携帯型測定機器は、請求項１から９のいずれか１項に記載の携帯型測定機器であって、記憶装置をさらに備える。記憶装置は、体動情報を記憶する。出力装置は、記憶装置を参照して、体動情報を出力する。
【００２５】
この携帯型測定機器では、利用者による携帯が行われる。例えば、利用者の左胸ポケットに入れられ得る。測定装置が、体動情報を利用者に非接触で測定する。体動情報に基づいて、心拍情報を分析することができる。記憶装置が、体動情報に基づいた情報すなわち心拍情報を受け取ることができる。記憶装置が、体動情報に基づいて、心拍情報を記憶する。出力装置が、記憶装置を参照する。出力装置が、体動情報に基づいた情報すなわち心拍情報を受け取ることができる。出力装置が、体動情報に基づいて、心拍情報を出力する。
【００２６】
したがって、心拍情報を記憶して出力するので、携帯されながら心拍情報を出力することができる。また、定期的に心拍情報を出力することができる。
請求項１２に係る上着は、利用者が着る上着であって、請求項１１に記載の携帯型測定機器を備える。
この上着では、携帯型測定機器が備えられている。例えば、利用者の左胸付近に携帯型測定機器が備えられている。測定装置が、体動情報を利用者に非接触で測定する。体動情報に基づいて、心拍情報を分析することができる。記憶装置が、体動情報に基づいた情報すなわち心拍情報を受け取ることができる。記憶装置が、体動情報に基づいて、心拍情報を記憶する。出力装置が、記憶装置を参照する。出力装置が、体動情報に基づいた情報すなわち心拍情報を受け取ることができる。出力装置が、体動情報に基づいて、心拍情報を出力する。
【００２７】
したがって、上着を着るだけで心拍情報を記憶して出力するので、利用者の生体情報を測定するための装置を利用者に装着せずに利用者の健康を管理することができる。
請求項１３に係る健康管理システムは、請求項１０に記載の携帯型測定機器と、管理機器とを備える。管理機器は、心拍情報を、無線回線経由で携帯型測定機器から受信する。利用者は複数存在する。携帯型測定機器は、識別情報を、無線回線経由で送信することによりさらに出力する。識別情報は、利用者を識別するための情報である。管理機器は、識別情報を、無線回線経由で携帯型測定機器からさらに受信する。
【００２８】
この健康管理システムでは、利用者が複数存在する。利用者により携帯型測定機器が携帯される。携帯型測定機器の測定装置が、体動情報を利用者に非接触で測定する。体動情報に基づいて、心拍情報を分析することができる。携帯型測定機器の出力装置が、体動情報に基づいた情報すなわち心拍情報を受け取ることができる。携帯型測定機器の出力装置の送信出力部が、体動情報に基づいて、心拍情報を無線回線経由で送信することにより、心拍情報を出力する。携帯型測定機器の出力装置の送信出力部が、識別情報を、無線回線経由で送信することによりさらに出力することができる。管理機器が、携帯型測定機器から送信された心拍情報を、無線回線経由で受信する。管理機器が、識別情報を、無線回線経由で携帯型測定機器からさらに受信する。
【００２９】
したがって、管理機器が心拍情報と識別情報とを受信するので、複数の利用者の健康を集中的に管理することができる。また、体動情報を利用者に非接触で測定して心拍情報を出力するので、携帯型測定機器を利用者の左胸ポケットに入れることにより利用者の心拍による微弱な体動を測定することができれば、利用者の心拍に関する情報である心拍情報を利用者に非接触で測定して心拍情報を出力することができる。このため、利用者の生体情報を測定するための装置を利用者に装着せずに利用者の健康を管理することができる。
【００３０】
請求項１４に係る健康管理システムは、請求項１０に記載の携帯型測定機器と、通信機器と、管理機器とを備える。通信機器は、心拍情報を、無線回線経由で携帯型測定機器から受信する。管理機器は、心拍情報を、通信回線経由で通信機器から受信する。通信回線は、無線回線とは異なる回線である。利用者は複数存在する。管理機器は、識別情報を、通信回線経由で通信機器からさらに受信する。識別情報は、利用者を識別するための情報である。
【００３１】
この健康管理システムでは、利用者が複数存在する。利用者により携帯型測定機器が携帯される。携帯型測定機器の測定装置が、体動情報を利用者に非接触で測定する。体動情報に基づいて、心拍情報を分析することができる。携帯型測定機器の出力装置が、体動情報に基づいた情報すなわち心拍情報を受け取ることができる。携帯型測定機器の出力装置の送信出力部が、体動情報に基づいて、心拍情報を無線回線経由で送信することにより、心拍情報を出力する。通信機器が、心拍情報を無線回線経由で携帯型測定機器から受信する。通信機器が、心拍情報を通信回線経由で管理機器へ送信することができる。通信機器が、識別情報を通信回線経由で管理機器へさらに送信することができる。管理機器が、心拍情報を、通信回線経由で通信機器から受信する。管理機器が、識別情報を、通信回線経由で通信機器からさらに受信する。
【００３２】
したがって、管理機器が心拍情報と識別情報とを受信するので、複数の利用者の健康を集中的に管理することができる。また、体動情報を利用者に非接触で測定して心拍情報を出力するので、携帯型測定機器を利用者の左胸ポケットに入れることにより利用者の心拍による微弱な体動を測定することができれば、利用者の心拍に関する情報である心拍情報を利用者に非接触で測定して心拍情報を出力することができる。このため、利用者の生体情報を測定するための装置を利用者に装着せずに利用者の健康を管理することができる。
【００３３】
なお、通信機器は、心拍情報を無線回線経由で受信して心拍情報と識別情報とを通信回線経由で送信してもよいし、心拍情報と識別情報とを無線回線経由で受信して心拍情報と識別情報とを通信回線経由で送信してもよい。
請求項１５に係る健康管理システムは、請求項１３又は１４に記載の健康管理システムであって、携帯型測定機器は、携帯電話機である。
【００３４】
この健康管理システムでは、利用者が複数存在する。利用者により携帯型測定機器が携帯される。携帯型測定機器が、携帯電話機である。携帯電話機の測定装置が、体動情報を利用者に非接触で測定する。体動情報に基づいて、心拍情報を分析することができる。携帯電話機の出力装置が、体動情報に基づいた情報すなわち心拍情報を受け取ることができる。携帯電話機の出力装置の送信出力部が、体動情報に基づいて、心拍情報を無線回線経由で送信することにより、心拍情報を出力する。携帯型測定機器の出力装置の送信出力部が、識別情報を、無線回線経由で送信することによりさらに出力することができる。管理機器が、携帯電話機から送信された心拍情報を、無線回線経由で受信する。管理機器が、携帯電話機から送信された識別情報を、無線回線経由でさらに受信する。あるいは、通信機器が、心拍情報を無線回線経由で携帯電話機から受信する。通信機器が、識別情報を無線回線経由で携帯電話機からさらに受信することができる。通信機器が、心拍情報を通信回線経由で管理機器へ送信することができる。通信機器が、識別情報を通信回線経由で管理機器へさらに送信することができる。管理機器が、心拍情報を、通信回線経由で通信機器から受信する。管理機器が、識別情報を、通信回線経由で通信機器からさらに受信する。
【００３５】
したがって、管理機器が心拍情報と識別情報とを受信するので、複数の利用者の健康を集中的に管理することができる。また、携帯電話機なので携帯型測定機器を利用者の左胸ポケットに入れて携帯することができる。
請求項１６に係る健康管理システムは、請求項１１に記載の携帯型測定機器と、管理機器とを備える。管理機器は、心拍情報を携帯型測定機器から受け取る。利用者は複数存在する。管理機器は、識別情報を、携帯型測定機器からさらに受け取る。識別情報は、利用者を識別するための情報である。
【００３６】
この健康管理システムでは、利用者が複数存在する。利用者により携帯型測定機器が携帯される。携帯型測定機器の測定装置が、体動情報を利用者に非接触で測定する。体動情報に基づいて、心拍情報を分析することができる。携帯型測定機器の記憶装置が、体動情報に基づいた情報すなわち心拍情報を受け取ることができる。携帯型測定機器の記憶装置が、体動情報に基づいて、心拍情報を記憶する。携帯型測定機器の出力装置が、記憶装置を参照する。携帯型測定機器の出力装置が、体動情報に基づいた情報すなわち心拍情報を受け取ることができる。出力装置が、体動情報に基づいて、心拍情報を出力する。出力装置が、識別情報をさらに出力することができる。管理機器が、心拍情報を携帯型測定機器から受け取る。管理機器が、識別情報を、携帯型測定機器からさらに受け取る。
【００３７】
したがって、管理機器が心拍情報と識別情報とを受け取るので、複数の利用者の健康を集中的に管理することができる。また、体動情報を利用者に非接触で測定して心拍情報を出力するので、携帯型測定機器を利用者の左胸ポケットに入れることにより利用者の心拍による微弱な体動を測定することができれば、利用者の心拍に関する情報である心拍情報を利用者に非接触で測定して心拍情報を出力することができる。このため、利用者の生体情報を測定するための装置を利用者に装着せずに利用者の健康を管理することができる。
【００３８】
請求項１７に係る健康管理システムは、請求項１１に記載の携帯型測定機器と、通信機器と、管理機器とを備える。通信機器は、心拍情報を携帯型測定機器から受け取る。管理機器は、心拍情報を、通信回線経由で通信機器から受信する。利用者は複数存在する。管理機器は、識別情報を、通信回線経由で通信機器からさらに受信する。識別情報は、利用者を識別するための情報である。
【００３９】
この健康管理システムでは、利用者が複数存在する。利用者により携帯型測定機器が携帯される。携帯型測定機器の測定装置が、体動情報を利用者に非接触で測定する。体動情報に基づいて、心拍情報を分析することができる。携帯型測定機器の記憶装置が、体動情報に基づいた情報すなわち心拍情報を受け取ることができる。携帯型測定機器の記憶装置が、体動情報に基づいて、心拍情報を記憶する。携帯型測定機器の出力装置が、記憶装置を参照する。携帯型測定機器の出力装置が、体動情報に基づいた情報すなわち心拍情報を受け取ることができる。出力装置が、体動情報に基づいて、心拍情報を出力する。通信機器が、心拍情報を携帯型測定機器から受け取る。通信機器が、心拍情報を通信回線経由で管理機器へ送信することができる。通信機器が、識別情報を通信回線経由で管理機器へさらに送信することができる。管理機器が、心拍情報を、通信回線経由で通信機器から受信する。管理機器が、識別情報を、通信回線経由で通信機器からさらに受信する。
【００４０】
したがって、管理機器が心拍情報と識別情報とを受信するので、複数の利用者の健康を集中的に管理することができる。また、体動情報を利用者に非接触で測定して心拍情報を出力するので、携帯型測定機器を利用者の左胸ポケットに入れることにより利用者の心拍による微弱な体動を測定することができれば、利用者の心拍に関する情報である心拍情報を利用者に非接触で測定して心拍情報を出力することができる。このため、利用者の生体情報を測定するための装置を利用者に装着せずに利用者の健康を管理することができる。
【００４１】
なお、通信機器は、心拍情報を受け取って心拍情報と識別情報とを通信回線経由で送信してもよいし、心拍情報と識別情報とを受け取って心拍情報と識別情報とを通信回線経由で送信してもよい。
請求項１８に係る健康管理方法は、利用者が携帯するための携帯型測定機器において行われる健康管理方法であって、測定ステップと出力ステップとを備える。測定ステップでは、体動情報が、利用者に非接触で測定される。体動情報は、利用者の体の動きに関する情報である。出力ステップでは、体動情報に基づいて、心拍情報が出力される。心拍情報は、利用者の心拍に関する情報である。
【００４２】
この健康管理方法では、利用者により携帯型測定機器が携帯される。測定ステップにおいて、体動情報が利用者に非接触で測定される。体動情報に基づいて、心拍情報が分析され得る。出力ステップにおいて、体動情報に基づいた情報すなわち心拍情報が受け取られ得る。出力ステップにおいて、体動情報に基づいて、心拍情報が出力される。
したがって、体動情報を利用者に非接触で測定するので、携帯型測定機器を利用者の左胸ポケットに入れることにより利用者の心拍による微弱な体動を測定することができれば、利用者の心拍に関する情報である心拍情報を利用者に非接触で測定して心拍情報を出力することができる。このため、利用者の生体情報を測定するための装置を利用者に装着せずに利用者の健康を管理することができる。
【００４３】
なお、心拍情報は、例えば、単位時間における心拍数に関する情報、単位時間における呼吸数に関する情報、心拍間隔に関する情報、覚醒度に関する情報、疲労度に関する情報、ストレス度に関する情報などである。
【発明の効果】
【００４４】
請求項１に係る携帯型測定機器では、体動情報を利用者に非接触で測定するので、利用者の左胸ポケットに入れられることにより利用者の心拍による微弱な体動を測定することができれば、利用者の心拍に関する情報である心拍情報を利用者に非接触で測定して心拍情報を出力することができる。このため、利用者の生体情報を測定するための装置を利用者に装着せずに利用者の健康を管理することができる。
【００４５】
請求項２に係る携帯型測定機器では、反射波を受信するので、利用者の左胸ポケットに入れられることにより利用者の心拍による微弱な体動を測定することができれば、利用者の心拍に関する情報である心拍情報を利用者に非接触で測定して出力することができる。
請求項３に係る携帯型測定機器では、利用者の心臓付近の体表面でマイクロ波が反射したものが反射波であるので、利用者の左胸ポケットに入れられることにより反射波を受信して分析することができる。このため、利用者の心拍による微弱な体動を測定して心拍情報を出力することができる。
【００４６】
請求項４に係る携帯型測定機器では、マイクロ波の信号及び反射波の信号の少なくとも一方を増幅するので、利用者の心拍による微弱な体動に関連した信号が微弱であっても、利用者の心拍による微弱な体動を測定して心拍情報を出力することができる。
請求項５に係る携帯型測定機器では、変化情報を演算するので、ドップラー効果を利用して利用者の心拍による微弱な体動を分析することができる。このため、利用者の心拍による微弱な体動を測定して心拍情報を出力することができる。
【００４７】
請求項６に係る携帯型測定機器では、変化情報に基づいて帯域情報を抽出するので、利用者の心拍による微弱な体動に関連した情報を変化情報から抽出することができる。このため、利用者の心拍による微弱な体動を測定して心拍情報を出力することができる。
請求項７に係る携帯型測定機器では、帯域情報に基づいて心拍情報を分析するので、心拍情報を利用者に非接触で測定して出力することができる。
【００４８】
請求項８に係る携帯型測定機器では、心拍情報に基づいて利用者の異常を判定するので、心拍情報とともに利用者の異常に関する情報も出力することができる。このため、利用者の健康を管理することができる。
請求項９に係る携帯型測定機器では、判定部が判定した結果に基づいて心拍情報を出力するので、心拍情報とともに利用者の異常に関する情報も出力することができる。このため、利用者の健康を管理することができる。
【００４９】
請求項１０に係る携帯型測定機器では、心拍情報を無線回線経由で送信するので、携帯されながら心拍情報を出力することができる。また、利用者に異常があった場合に心拍情報をすぐに出力することができる。
請求項１１に係る携帯型測定機器では、心拍情報を記憶して出力するので、携帯されながら心拍情報を出力することができる。また、定期的に心拍情報を出力することができる。
【００５０】
請求項１２に係る上着では、上着を着るだけで心拍情報を記憶して出力するので、利用者の生体情報を測定するための装置を利用者に装着せずに利用者の健康を管理することができる。
請求項１３に係る健康管理システムでは、管理機器が心拍情報と識別情報とを受信するので、複数の利用者の健康を集中的に管理することができる。また、体動情報を利用者に非接触で測定して心拍情報を出力するので、携帯型測定機器を利用者の左胸ポケットに入れることにより利用者の心拍による微弱な体動を測定することができれば、利用者の心拍に関する情報である心拍情報を利用者に非接触で測定して心拍情報を出力することができる。このため、利用者の生体情報を測定するための装置を利用者に装着せずに利用者の健康を管理することができる。
【００５１】
請求項１４に係る健康管理システムでは、管理機器が心拍情報と識別情報とを受信するので、複数の利用者の健康を集中的に管理することができる。また、体動情報を利用者に非接触で測定して心拍情報を出力するので、携帯型測定機器を利用者の左胸ポケットに入れることにより利用者の心拍による微弱な体動を測定することができれば、利用者の心拍に関する情報である心拍情報を利用者に非接触で測定して心拍情報を出力することができる。このため、利用者の生体情報を測定するための装置を利用者に装着せずに利用者の健康を管理することができる。
【００５２】
請求項１５に係る健康管理システムでは、管理機器が心拍情報と識別情報とを受信するので、複数の利用者の健康を集中的に管理することができる。また、携帯電話機なので携帯型測定機器を利用者の左胸ポケットに入れて携帯することができる。
請求項１６に係る健康管理システムでは、管理機器が心拍情報と識別情報とを受け取るので、複数の利用者の健康を集中的に管理することができる。また、体動情報を利用者に非接触で測定して心拍情報を出力するので、携帯型測定機器を利用者の左胸ポケットに入れることにより利用者の心拍による微弱な体動を測定することができれば、利用者の心拍に関する情報である心拍情報を利用者に非接触で測定して心拍情報を出力することができる。このため、利用者の生体情報を測定するための装置を利用者に装着せずに利用者の健康を管理することができる。
【００５３】
請求項１７に係る健康管理システムでは、管理機器が心拍情報と識別情報とを受信するので、複数の利用者の健康を集中的に管理することができる。また、体動情報を利用者に非接触で測定して心拍情報を出力するので、携帯型測定機器を利用者の左胸ポケットに入れることにより利用者の心拍による微弱な体動を測定することができれば、利用者の心拍に関する情報である心拍情報を利用者に非接触で測定して心拍情報を出力することができる。このため、利用者の生体情報を測定するための装置を利用者に装着せずに利用者の健康を管理することができる。
【００５４】
請求項１８に係る健康管理方法では、体動情報を利用者に非接触で測定するので、携帯型測定機器を利用者の左胸ポケットに入れることにより利用者の心拍による微弱な体動を測定することができれば、利用者の心拍に関する情報である心拍情報を利用者に非接触で測定して心拍情報を出力することができる。このため、利用者の生体情報を測定するための装置を利用者に装着せずに利用者の健康を管理することができる。
【発明を実施するための最良の形態】
【００５５】
［第１実施形態］
本発明の第１実施形態に係る健康管理システム１の概念図を図１に示す。また、本発明の第１実施形態に係る健康管理システム１の構成要素の構成図を図２に示す。図１に示す健康管理システム１は、主として携帯電話機群５０（５０ａ，５０ｂ，・・・）を携帯する利用者群Ｐ（Ｐａ，Ｐｂ，・・・）の健康を管理するためのシステムである。
【００５６】
＜健康管理システム１の全体構成＞
図１に示すように、この健康管理システム１は、主として携帯電話機群５０（５０ａ，５０ｂ，・・・）と管理センタ６０とを備える。携帯電話機群５０（５０ａ，５０ｂ，・・・）は、無線電話回線で管理センタ６０と接続されている。携帯電話機群５０（５０ａ，５０ｂ，・・・）は、利用者群Ｐ（Ｐａ，Ｐｂ，・・・）の左胸ポケットに入れられる。
【００５７】
＜携帯電話機群５０（５０ａ，５０ｂ，・・・）の構成＞
図１に示す携帯電話機５０ａは、図２に示すように、主としてマイクロ波ドップラーセンサ１０ａ、出力装置２０ａ及び記憶装置４０ａを備える。マイクロ波ドップラーセンサ１０ａは、主として送信部１１ａ，受信部１２ａ，処理部１３ａ，抽出部１４ａ，増幅部１５ａ，演算部１６ａ，分析部１７ａ及び判定部１８ａを備える。出力装置２０ａは、主として送信出力部２１ａを備える。記憶装置４０ａには、主として識別情報４１ａが記憶されている。
【００５８】
図２に示すマイクロ波ドップラーセンサ１０ａの送信部１１ａが、利用者Ｐａ（図１参照）に向けてマイクロ波を送信する。ここで、送信部１１ａが、利用者Ｐａ（図１参照）の心臓付近に向けてマイクロ波を送信する。なお、マイクロ波は、利用者Ｐａ（図１参照）の衣服の材料である木綿やナイロンなどを透過し、体表面や金属などで反射する性質を持っている。受信部１２ａが、反射波を受信する。ここで、反射波が、利用者Ｐａ（図１参照）の心臓付近の体表面でマイクロ波が反射したものである。
【００５９】
増幅部１５ａが、マイクロ波の信号を、送信部１１ａから受け取る。増幅部１５ａが、反射波の信号を、受信部１２ａから受け取る。増幅部１５ａが、マイクロ波の信号及び反射波の信号を増幅する。演算部１６ａが、マイクロ波に関する信号を、処理部１３ａ経由で増幅部１５ａから受け取る。ここで、マイクロ波に関する信号は、マイクロ波の信号を増幅した信号である。演算部１６ａが、反射波に関する信号を、処理部１３ａ経由で増幅部１５ａから受け取る。ここで、反射波に関する信号は、反射波の信号を増幅した信号である。演算部１６ａが、変化情報（図７参照）を演算する。変化情報（図７参照）が、マイクロ波に関する信号に対する反射波に関する信号の変化に関する情報である。抽出部１４ａが、変化情報（図７参照）を、処理部１３ａ経由で演算部１６ａから受け取る。抽出部１４ａが、変化情報（図７参照）に基づいて、帯域情報を抽出する。帯域情報は、所定の周波数帯域（図７のＰ１〜Ｐ４参照）の情報である。分析部１７ａが、帯域情報（図７のＰ１〜Ｐ４参照）を、処理部１３ａ経由で抽出部１４ａから受け取る。分析部１７ａが、帯域情報（図７のＰ１〜Ｐ４参照）に基づいて、利用者Ｐａ（図１参照）の心拍による微弱な体動を分析する。これにより、分析部１７ａが、帯域情報（図７のＰ１〜Ｐ４参照）に基づいて、心拍情報（図８参照）を分析する。ここで、心拍情報（図８参照）は、ストレス度に関する情報である。
【００６０】
判定部１８ａが、心拍情報（図８参照）を、処理部１３ａ経由で分析部１７ａから受け取る。判定部１８ａが、心拍情報（図８参照）に基づいて、利用者Ｐａ（図１参照）の異常を判定する。利用者Ｐａ（図１参照）に異常があると判定部１８ａが判定した場合、処理部１３ａが、心拍情報（図８参照）を、分析部１７ａから受け取り、出力装置２０ａへ渡す。それとともに、処理部１３ａが、記憶装置４０ａを参照し、識別情報４１ａを記憶装置４０ａから受け取り、識別情報４１ａを出力装置２０ａへ渡す。利用者Ｐａ（図１参照）に異常がないと判定部１８ａが判定した場合、処理部１３ａが、何の情報も出力装置２０ａへ渡さない。
【００６１】
出力装置２０ａの送信出力部２１ａが、心拍情報（図８参照）と識別情報４１ａとをマイクロ波ドップラーセンサ１０ａから受け取る。送信出力部２１ａが、心拍情報（図８参照）と識別情報４１ａとを、無線電話回線経由で管理センタ６０へ送信する。
他の携帯電話機５０ｂ，・・・も、携帯電話機５０ａと同様である。
＜管理センタ６０の構成＞
図１に示す管理センタ６０には、図２に示すように、主として管理情報６１が記憶されている。
【００６２】
管理センタ６０が、心拍情報（図８参照）と識別情報４１ａ，・・・とを、携帯電話機５０ａ，・・・の出力装置２０ａ，・・・から受け取る。管理センタ６０が、心拍情報（図８参照）と識別情報４１ａ，・・・とに基づいて、管理情報６１を生成して記憶する。管理センタ６０では、管理情報６１に基づいて、利用者Ｐａ，・・・（図１参照）の心拍情報（図８参照）が管理される。
【００６３】
＜変化情報の構成＞
図２に示す演算部１６ａ，・・・で演算される変化情報は、マイクロ波に関する信号に対する反射波に関する信号の変化に関する情報である。すなわち、利用者Ｐａ，・・・（図１参照）に体動があればマイクロ波に関する信号に対して反射波に関する信号の周波数が変化するので、ドップラー効果を利用して、利用者Ｐａ，・・・（図１参照）の体動の有無を検出することが可能である。変化情報の時間的な推移は、例えば、図７に示すグラフ９１のようになる。
【００６４】
＜帯域情報の構成＞
図２に示す抽出部１４ａ，・・・で抽出される帯域情報は、所定の周波数帯域の情報であり、利用者の心拍による微弱な体動に関連した情報である。例えば、変化情報の時間的な推移が図７に示すグラフ９１のようになる場合、他の周波数帯域で出現するピークＰ１１と混在した波形（例えば、ピークＰ１ａやピークＰ２ａ）から抽出される。他の周波数帯域で出現するピークは、例えば、利用者Ｐａ，・・・（図１参照）の呼吸によるものや利用者Ｐａ，・・・（図１参照）の大きな体動によるものなどである。すなわち、ピークＰ１〜Ｐ４で示される情報が帯域情報である。
【００６５】
＜心拍情報の構成＞
図２に示す分析部１７ａ，・・・で分析される心拍情報は、帯域情報（図７のＰ１〜Ｐ４参照）に基づいて分析された情報であり、ストレス度に関する情報である。分析部１７ａ，・・・が、帯域情報（図７のＰ１〜Ｐ４参照）に基づいて、利用者Ｐａ，・・・（図１参照）の心拍による微弱な体動を分析する。利用者Ｐａ，・・・（図１参照）の心拍による微弱な体動の時間的な推移の情報は、利用者Ｐａ，・・・（図１参照）の心臓付近の体表面に電極を装着して測定された心電波形（図示せず）と同様の情報である。ここで、心電波形とは、利用者Ｐａ，・・・（図１参照）の心臓の電位の時間的な変化を、利用者Ｐａ，・・・（図１参照）に接触して計測したものである。分析部１７ａ，・・・が、利用者Ｐａ，・・・（図１参照）の微弱な体動の波形（時間的な推移の情報）において鋭いピークを示すＲ波（図７に示すピークＰ１〜Ｐ４）を検知する。分析部１７ａ，・・・が、Ｒ波の間隔の時間的な変化を周波数解析して、Ｒ波の間隔の変動のスペクトル９２（図８参照）すなわち心拍情報を分析する。
【００６６】
図８に示すスペクトル９２、すなわち心拍情報は、利用者Ｐａ，・・・（図１参照）のストレス度に関する情報である。図８に示すスペクトル９２、すなわち心拍情報において、縦軸はＰＳＤ（Ｐｏｗｅｒ  Ｓｐｅｃｔｒｅ  Ｄｅｎｓｉｔｙ；パワースペクトル密度）であり、横軸は周波数である。図８に示すスペクトル９２、すなわち心拍情報において、０．１Ｈｚ前後のピークがＭＷＳＡ（Ｍａｙｅｒ  Ｗａｖｅ  ｒｅｌａｔｅｄ  Ｓｉｎｕｓ  Ａｒｒｈｙｔｈｍｉａ；血圧性変動）と一般に呼ばれ、そのＰＳＤ強度が交感神経と副交感神経との活動レベルの大きさを示す。また、０．３Ｈｚ前後のピークがＲＳＡ（Ｒｅｓｐｉｒａｔｏｒｙ  ｒｅｌａｔｅｄ  Ｓｉｎｕｓ  Ａｒｒｈｙｔｈｍｉａ；呼吸性変動）と一般に呼ばれ、そのＰＳＤ強度が副交感神経の活動レベルの大きさを示す。ＭＷＳＡのＰＳＤ強度がＲＳＡのＰＳＤ強度に比べて強ければ、利用者Ｐａ，・・・（図１参照）のストレス度が高いことが分かり、ＭＷＳＡのＰＳＤ強度がＲＳＡのＰＳＤ強度に比べて弱ければ、利用者Ｐａ，・・・（図１参照）のストレス度が低いことが分かる。
【００６７】
＜管理情報６１の構成＞
図２に示す管理情報６１は、主として識別情報欄６１１と心拍情報欄６１２とを備える。
識別情報欄６１１には、利用者Ｐａ，Ｐｂ，・・・（図示せず）を識別するための情報が記憶されている。心拍情報欄６１２には、例えば、前日１日間の平均の覚醒度が記憶されている。これにより、利用者Ｐａ，Ｐｂ，・・・（図示せず）毎に、心拍情報（たとえば、前日１日間の平均の覚醒度）を把握することが可能である。
【００６８】
＜健康管理システム１が携帯電話機群５０（５０ａ，５０ｂ，・・・）を携帯する利用者群Ｐ（Ｐａ，Ｐｂ，・・・）の健康を管理する処理の流れ＞
図１に示す健康管理システム１が携帯電話機群５０（５０ａ，５０ｂ，・・・）を携帯する利用者群Ｐ（Ｐａ，Ｐｂ，・・・）の健康を管理する処理の流れを、図３に示すフローチャートを用いて説明する。なお、健康管理システム１が携帯電話機５０ａを携帯する利用者Ｐａの健康を管理する場合について説明するが、健康管理システム１が携帯電話機５０ｂ，・・・を携帯する利用者Ｐｂ，・・・の健康を管理する場合も同様である。
【００６９】
図３に示すステップＳ１０では、携帯電話機５０ａにおける処理が行われる。図３に示すステップＳ３０では、管理センタ６０における処理が行われる。
図３に示すステップＳ５０では、携帯電話機５０ａがＯＦＦされるか否かが判断される。携帯電話機５０ａがＯＦＦされると判断された場合、処理が終了され、携帯電話機５０ａがＯＦＦされないと判断された場合、ステップＳ１０へ進められる。
【００７０】
＜携帯電話機５０ａ，・・・における処理の流れ＞
図１に示す携帯電話機５０ａ，・・・における処理の流れを、図４，図５に示すフローチャートを用いて説明する。なお、健康管理システム１が携帯電話機５０ａを携帯する利用者Ｐａの健康を管理する場合について説明するが、健康管理システム１が携帯電話機５０ｂ，・・・を携帯する利用者Ｐｂ，・・・の健康を管理する場合も同様である。
【００７１】
図４に示すステップＳ１１では、携帯電話機が携帯される。すなわち、利用者Ｐａ（図１参照）の左胸ポケットに携帯電話機５０ａが入れられる。このようにして、利用者Ｐａ（図１参照）により携帯電話機５０ａが携帯される（図３で示す（１））。
図４に示すステップＳ１２では、マイクロ波が送信される。すなわち、図２に示す携帯電話機５０ａのマイクロ波ドップラーセンサ１０ａの送信部１１ａにより、利用者Ｐａ（図１参照）に向けてマイクロ波が送信される。ここで、送信部１１ａにより、利用者Ｐａ（図１参照）の心臓付近に向けてマイクロ波が送信される。
【００７２】
図４に示すステップＳ１３では、反射波が受信される。すなわち、図２に示す携帯電話機５０ａのマイクロ波ドップラーセンサ１０ａの受信部１２ａにより、反射波が受信される。ここで、反射波が、利用者Ｐａ（図１参照）の心臓付近の体表面でマイクロ波が反射されたものである。
図４に示すステップＳ１４では、信号が増幅される。すなわち、図２に示す携帯電話機５０ａのマイクロ波ドップラーセンサ１０ａの増幅部１５ａにより、マイクロ波の信号が、送信部１１ａから受け取られる。増幅部１５ａにより、反射波の信号が、受信部１２ａから受け取られる。増幅部１５ａにより、マイクロ波の信号及び反射波の信号が増幅される。
【００７３】
図４に示すステップＳ１５では、変化情報が演算される。すなわち、図２に示す携帯電話機５０ａのマイクロ波ドップラーセンサ１０ａの演算部１６ａにより、マイクロ波に関する信号が、処理部１３ａ経由で増幅部１５ａから受け取られる。ここで、マイクロ波に関する信号は、マイクロ波の信号が増幅された信号である。演算部１６ａにより、反射波に関する信号が、処理部１３ａ経由で増幅部１５ａから受け取られる。ここで、反射波に関する信号は、反射波の信号が増幅された信号である。演算部１６ａにより、変化情報（図７参照）が演算される。変化情報（図７参照）が、マイクロ波に関する信号に対する反射波に関する信号の変化に関する情報である。
【００７４】
図４に示すステップＳ１６では、帯域情報が抽出される。すなわち、図２に示す携帯電話機５０ａのマイクロ波ドップラーセンサ１０ａの抽出部１４ａにより、変化情報（図７参照）が、処理部１３ａ経由で演算部１６ａから受け取られる。抽出部１４ａにより、変化情報（図７参照）に基づいて、帯域情報が抽出される。帯域情報は、所定の周波数帯域（図７のＰ１〜Ｐ４参照）の情報である。
【００７５】
図４に示すステップＳ１７では、心拍情報が分析される。すなわち、図２に示す携帯電話機５０ａのマイクロ波ドップラーセンサ１０ａの分析部１７ａにより、帯域情報（図７のＰ１〜Ｐ４参照）が、処理部１３ａ経由で抽出部１４ａから受け取られる。分析部１７ａにより、帯域情報（図７のＰ１〜Ｐ４参照）に基づいて、利用者Ｐａ（図１参照）の心拍による微弱な体動が分析される。この結果、分析部１７ａにより、帯域情報（図７のＰ１〜Ｐ４参照）に基づいて、心拍情報（図８参照）が分析される。ここで、心拍情報（図８参照）は、ストレス度に関する情報である（図３，図４で示す（２））。
【００７６】
図５に示すステップＳ１８では、利用者に異常があるか否かが判断される。すなわち、図２に示す携帯電話機５０ａのマイクロ波ドップラーセンサ１０ａの判定部１８ａにより、心拍情報（図８参照）が、処理部１３ａ経由で分析部１７ａから受け取られる。判定部１８ａにより、心拍情報（図８参照）に基づいて、利用者Ｐａ（図１参照）の異常が判定される。利用者に異常があると判定された場合、ステップＳ９へ進められ、利用者に異常がないと判定された場合、ステップＳ２（図４，図３で示す（１））へ進められる。
【００７７】
図５に示すステップＳ１９では、心拍情報と識別情報とが送信される。すなわち、図２に示す携帯電話機５０ａのマイクロ波ドップラーセンサ１０ａの処理部１３ａにより、心拍情報（図８参照）が、分析部１７ａから受け取られ、出力装置２０ａへ渡される。それとともに、処理部１３ａにより、記憶装置４０ａが参照され、識別情報４１ａが記憶装置４０ａから受け取られ、識別情報４１ａが出力装置２０ａへ渡される。出力装置２０ａの送信出力部２１ａにより、心拍情報（図８参照）と識別情報４１ａとがマイクロ波ドップラーセンサ１０ａから受け取られる。送信出力部２１ａにより、心拍情報（図８参照）と識別情報４１ａとが、無線電話回線経由で管理センタ６０へ送信される。
【００７８】
＜管理センタ６０における処理の流れ＞
図１に示す管理センタ６０における処理の流れを、図６に示すフローチャートを用いて説明する。なお、健康管理システム１が携帯電話機５０ａを携帯する利用者Ｐａの健康を管理する場合について説明するが、健康管理システム１が携帯電話機５０ｂ，・・・を携帯する利用者Ｐｂ，・・・の健康を管理する場合も同様である。
【００７９】
図６に示すステップＳ３１では、心拍情報と識別情報とが受信される。すなわち、管理センタ６０により、心拍情報（図８参照）と識別情報４１ａ，・・・とが、携帯電話機５０ａ，・・・の出力装置２０ａ，・・・から無線電話回線経由で受信される。
図６に示すステップＳ３２では、心拍情報が管理される。すなわち、管理センタ６０により、心拍情報（図８参照）と識別情報４１ａ，・・・とに基づいて、管理情報６１が生成されて記憶される。管理センタ６０では、管理情報６１に基づいて、利用者Ｐａ（図１参照）の心拍情報が管理される。例えば、利用者Ｐａ（図１参照）のもとに、医師が派遣される。
【００８０】
＜健康管理システム１に関する特徴＞
（１）
ここでは、携帯電話機５０ａ，・・・（図１参照）が利用者Ｐａ，・・・（図１参照）に携帯される。図２に示すような携帯電話機５０ａ，・・・のマイクロ波ドップラーセンサ１０ａ，・・・が、利用者Ｐａ，・・・（図１参照）の体の動きに関する情報である体動情報を、利用者Ｐａ，・・・（図１参照）に非接触で測定する。体動情報に基づいて、心拍情報（図８参照）が分析される。出力装置２０ａ，・・・が、心拍情報（図８参照）をマイクロ波ドップラーセンサ１０ａ，・・・から受け取る。出力装置２０ａ，・・・が、体動情報に基づいて、心拍情報（図８参照）を出力する。
【００８１】
したがって、体動情報を利用者Ｐａ，・・・（図１参照）に非接触で測定するので、利用者Ｐａ，・・・（図１参照）の左胸ポケットに携帯電話機５０ａ，・・・を入れて利用者Ｐａ，・・・（図１参照）の心拍による微弱な体動を測定することにより、心拍情報（図８参照）を利用者Ｐａ，・・・（図１参照）に非接触で測定して心拍情報（図８参照）を出力することが可能である。このため、利用者Ｐａ，・・・（図１参照）の生体情報を測定するための装置を利用者Ｐａ，・・・（図１参照）に装着せずに利用者Ｐａ，・・・（図１参照）の健康を管理することが可能である。
【００８２】
（２）
ここでは、携帯電話機５０ａ，・・・（図１参照）が利用者Ｐａ，・・・（図１参照）に携帯される。図２に示すような携帯電話機５０ａ，・・・のマイクロ波ドップラーセンサ１０ａ，・・・の送信部１１ａ，・・・が、利用者Ｐａ，・・・（図１参照）に向けてマイクロ波を送信する。マイクロ波ドップラーセンサ１０ａ，・・・の受信部１２ａ，・・・が、反射波を受信する。これにより、体動情報が取得される。体動情報に基づいて、心拍情報（図８参照）が分析される。出力装置２０ａ，・・・が、体動情報に基づいた情報すなわち心拍情報（図８参照）をマイクロ波ドップラーセンサ１０ａ，・・・から受け取る。出力装置２０ａ，・・・が、体動情報に基づいて、心拍情報（図８参照）を出力する。
【００８３】
したがって、反射波を受信するので、利用者Ｐａ，・・・（図１参照）の左胸ポケットに携帯電話機５０ａ，・・・を入れて利用者Ｐａ，・・・（図１参照）の心拍による微弱な体動を測定することにより、心拍情報（図８参照）を利用者Ｐａ，・・・（図１参照）に非接触で測定して出力することが可能である。
（３）
ここでは、携帯電話機５０ａ，・・・（図１参照）が利用者Ｐａ，・・・（図１参照）に携帯される。図２に示すような携帯電話機５０ａ，・・・のマイクロ波ドップラーセンサ１０ａ，・・・の送信部１１ａ，・・・が、利用者Ｐａ，・・・（図１参照）の心臓付近に向けてマイクロ波を送信する。マイクロ波ドップラーセンサ１０ａ，・・・の受信部１２ａ，・・・が、反射波を受信する。反射波が、利用者Ｐａ，・・・（図１参照）の心臓付近の体表面でマイクロ波が反射したものである。これにより、体動情報が取得される。体動情報に基づいて、心拍情報（図８参照）が分析される。出力装置２０ａ，・・・が、体動情報に基づいた情報すなわち心拍情報（図８参照）をマイクロ波ドップラーセンサ１０ａ，・・・から受け取る。出力装置２０ａ，・・・が、体動情報に基づいて、心拍情報（図８参照）を出力する。
【００８４】
したがって、利用者Ｐａ，・・・（図１参照）の心臓付近の体表面でマイクロ波が反射したものが反射波であるので、利用者Ｐａ，・・・（図１参照）の左胸ポケットに携帯電話機５０ａ，・・・を入れて反射波を受信して分析するが可能である。このため、利用者Ｐａ，・・・（図１参照）の心拍による微弱な体動を測定して心拍情報（図８参照）を出力することが可能である。
【００８５】
（４）
ここでは、携帯電話機５０ａ，・・・（図１参照）が利用者Ｐａ，・・・（図１参照）に携帯される。すなわち、携帯電話機５０ａ，・・・（図１参照）が利用者Ｐａ，・・・（図１参照）の左胸ポケットに入れられる。図２に示すような携帯電話機５０ａ，・・・のマイクロ波ドップラーセンサ１０ａ，・・・の送信部１１ａ，・・・が、利用者Ｐａ，・・・（図１参照）に向けてマイクロ波を送信する。マイクロ波ドップラーセンサ１０ａ，・・・の受信部１２ａ，・・・が、反射波を受信する。マイクロ波ドップラーセンサ１０ａ，・・・の増幅部１５ａ，・・・が、マイクロ波の信号を、送信部１１ａ，・・・から受け取る。マイクロ波ドップラーセンサ１０ａ，・・・の増幅部１５ａ，・・・が、反射波の信号を、受信部１２ａ，・・・から受け取る。マイクロ波ドップラーセンサ１０ａ，・・・の増幅部１５ａ，・・・が、マイクロ波の信号及び反射波の信号を増幅する。これにより、体動情報が取得される。体動情報に基づいて、心拍情報（図８参照）が分析される。出力装置２０ａ，・・・が、体動情報に基づいた情報すなわち心拍情報（図８参照）をマイクロ波ドップラーセンサ１０ａ，・・・から受け取る。出力装置２０ａ，・・・が、体動情報に基づいて、心拍情報（図８参照）を出力する。
【００８６】
したがって、マイクロ波の信号及び反射波の信号を増幅するので、利用者Ｐａ，・・・（図１参照）の心拍による微弱な体動に関連した信号が微弱であっても、利用者Ｐａ，・・・（図１参照）の心拍による微弱な体動を測定して心拍情報（図８参照）を出力することが可能である。
（５）
ここでは、携帯電話機５０ａ，・・・（図１参照）が利用者Ｐａ，・・・（図１参照）に携帯される。すなわち、携帯電話機５０ａ，・・・（図１参照）が利用者Ｐａ，・・・（図１参照）の左胸ポケットに入れられる。図２に示すような携帯電話機５０ａ，・・・のマイクロ波ドップラーセンサ１０ａ，・・・の送信部１１ａ，・・・が、利用者Ｐａ，・・・（図１参照）に向けてマイクロ波を送信する。マイクロ波ドップラーセンサ１０ａ，・・・の受信部１２ａ，・・・が、反射波を受信する。マイクロ波ドップラーセンサ１０ａ，・・・の増幅部１５ａ，・・・が、マイクロ波の信号を、送信部１１ａ，・・・から受け取る。マイクロ波ドップラーセンサ１０ａ，・・・の増幅部１５ａ，・・・が、反射波の信号を、受信部１２ａ，・・・から受け取る。マイクロ波ドップラーセンサ１０ａ，・・・の増幅部１５ａ，・・・が、マイクロ波の信号及び反射波の信号を増幅する。マイクロ波ドップラーセンサ１０ａ，・・・の演算部１６ａ，・・・が、マイクロ波に関する信号を、処理部１３ａ，・・・を経由して増幅部１５ａ，・・・から受け取る。ここで、マイクロ波に関する信号は、マイクロ波の信号を増幅した信号である。マイクロ波ドップラーセンサ１０ａ，・・・の演算部１６ａ，・・・が、反射波に関する信号を、処理部１３ａ，・・・を経由して増幅部１５ａ，・・・から受け取る。ここで、反射波に関する信号は、反射波の信号を増幅した信号である。マイクロ波ドップラーセンサ１０ａ，・・・の演算部１６ａ，・・・が、変化情報（図７参照）を演算する。変化情報（図７参照）が、マイクロ波に関する信号に対する反射波に関する信号の変化に関する情報である。変化情報（図７参照）に基づいて心拍情報（図８参照）が分析される。出力装置２０ａ，・・・が、体動情報に基づいた情報すなわち心拍情報（図８参照）をマイクロ波ドップラーセンサ１０ａ，・・・から受け取る。出力装置２０ａ，・・・が、体動情報に基づいて、心拍情報（図８参照）を出力する。
【００８７】
したがって、変化情報（図７参照）を演算するので、ドップラー効果を利用して利用者Ｐａ，・・・（図１参照）の心拍による微弱な体動を分析することが可能である。このため、利用者Ｐａ，・・・（図１参照）の心拍による微弱な体動を測定して心拍情報（図８参照）を出力することが可能である。
（６）
ここでは、携帯電話機５０ａ，・・・（図１参照）が利用者Ｐａ，・・・（図１参照）に携帯される。すなわち、携帯電話機５０ａ，・・・（図１参照）が利用者Ｐａ，・・・（図１参照）の左胸ポケットに入れられる。図２に示すような携帯電話機５０ａ，・・・のマイクロ波ドップラーセンサ１０ａ，・・・の送信部１１ａ，・・・が、利用者Ｐａ，・・・（図１参照）に向けてマイクロ波を送信する。マイクロ波ドップラーセンサ１０ａ，・・・の受信部１２ａ，・・・が、反射波を受信する。マイクロ波ドップラーセンサ１０ａ，・・・の増幅部１５ａ，・・・が、マイクロ波の信号を、送信部１１ａ，・・・から受け取る。マイクロ波ドップラーセンサ１０ａ，・・・の増幅部１５ａ，・・・が、反射波の信号を、受信部１２ａ，・・・から受け取る。マイクロ波ドップラーセンサ１０ａ，・・・の増幅部１５ａ，・・・が、マイクロ波の信号及び反射波の信号を増幅する。マイクロ波ドップラーセンサ１０ａ，・・・の演算部１６ａ，・・・が、マイクロ波に関する信号を、処理部１３ａ，・・・を経由して増幅部１５ａ，・・・から受け取る。マイクロ波ドップラーセンサ１０ａ，・・・の演算部１６ａ，・・・が、反射波に関する信号を、処理部１３ａ，・・・を経由して増幅部１５ａ，・・・から受け取る。マイクロ波ドップラーセンサ１０ａ，・・・の演算部１６ａ，・・・が、変化情報（図７参照）を演算する。変化情報（図７参照）が、マイクロ波に関する信号に対する反射波に関する信号の変化に関する情報である。マイクロ波ドップラーセンサ１０ａ，・・・の抽出部１４ａ，・・・が、変化情報（図７参照）を、処理部１３ａ，・・・を経由して演算部１６ａ，・・・から受け取る。マイクロ波ドップラーセンサ１０ａ，・・・の抽出部１４ａ，・・・が、変化情報（図７参照）に基づいて、帯域情報（図７のＰ１〜Ｐ４参照）を抽出する。帯域情報（図７のＰ１〜Ｐ４参照）に基づいて心拍情報（図８参照）が分析される。出力装置２０ａ，・・・が、体動情報に基づいた情報すなわち心拍情報（図８参照）を、マイクロ波ドップラーセンサ１０ａ，・・・から受け取る。出力装置２０ａ，・・・が、体動情報に基づいて、心拍情報（図８参照）を出力する。
【００８８】
したがって、変化情報（図７参照）に基づいて帯域情報（図７のＰ１〜Ｐ４参照）を抽出するので、利用者Ｐａ，・・・（図１参照）の心拍による微弱な体動に関連した情報を変化情報（図７参照）から抽出することが可能である。このため、利用者Ｐａ，・・・（図１参照）の心拍による微弱な体動を測定して心拍情報（図８参照）を出力することが可能である。
【００８９】
（７）
ここでは、携帯電話機５０ａ，・・・（図１参照）が利用者Ｐａ，・・・（図１参照）に携帯される。すなわち、携帯電話機５０ａ，・・・（図１参照）が利用者Ｐａ，・・・（図１参照）の左胸ポケットに入れられる。図２に示すような携帯電話機５０ａ，・・・のマイクロ波ドップラーセンサ１０ａ，・・・の送信部１１ａ，・・・が、利用者Ｐａ，・・・（図１参照）に向けてマイクロ波を送信する。マイクロ波ドップラーセンサ１０ａ，・・・の受信部１２ａ，・・・が、反射波を受信する。マイクロ波ドップラーセンサ１０ａ，・・・の増幅部１５ａ，・・・が、マイクロ波の信号を、送信部１１ａ，・・・から受け取る。マイクロ波ドップラーセンサ１０ａ，・・・の増幅部１５ａ，・・・が、反射波の信号を、受信部１２ａ，・・・から受け取る。マイクロ波ドップラーセンサ１０ａ，・・・の増幅部１５ａ，・・・が、マイクロ波の信号及び反射波の信号を増幅する。マイクロ波ドップラーセンサ１０ａ，・・・の演算部１６ａ，・・・が、マイクロ波に関する信号を、処理部１３ａ，・・・を経由して増幅部１５ａ，・・・から受け取る。マイクロ波ドップラーセンサ１０ａ，・・・の演算部１６ａ，・・・が、反射波に関する信号を、処理部１３ａ，・・・を経由して増幅部１５ａ，・・・から受け取る。マイクロ波ドップラーセンサ１０ａ，・・・の演算部１６ａ，・・・が、変化情報（図７参照）を演算する。変化情報（図７参照）が、マイクロ波に関する信号に対する反射波に関する信号の変化に関する情報である。マイクロ波ドップラーセンサ１０ａ，・・・の抽出部１４ａ，・・・が、変化情報（図７参照）を、処理部１３ａ，・・・を経由して演算部１６ａ，・・・から受け取る。マイクロ波ドップラーセンサ１０ａ，・・・の抽出部１４ａ，・・・が、変化情報（図７参照）に基づいて、帯域情報（図７のＰ１〜Ｐ４参照）を抽出する。マイクロ波ドップラーセンサ１０ａ，・・・の分析部１７ａ，・・・が、帯域情報（図７のＰ１〜Ｐ４参照）を、処理部１３ａ，・・・経由で抽出部１４ａ，・・・から受け取る。マイクロ波ドップラーセンサ１０ａ，・・・の分析部１７ａ，・・・が、帯域情報（図７のＰ１〜Ｐ４参照）に基づいて、利用者Ｐａ，・・・（図１参照）の心拍による微弱な体動を分析する。これにより、マイクロ波ドップラーセンサ１０ａ，・・・の分析部１７ａ，・・・が、帯域情報（図７のＰ１〜Ｐ４参照）に基づいて、心拍情報（図８参照）を分析する。出力装置２０ａ，・・・が、体動情報に基づいた情報すなわち心拍情報（図８参照）を、マイクロ波ドップラーセンサ１０ａ，・・・から受け取る。出力装置２０ａ，・・・が、体動情報に基づいて、心拍情報（図８参照）を出力する。
【００９０】
したがって、帯域情報（図７のＰ１〜Ｐ４参照）に基づいて心拍情報（図８参照）を分析するので、心拍情報（図８参照）を利用者Ｐａ，・・・（図１参照）に非接触で測定して出力することが可能である。
（８）
ここでは、携帯電話機５０ａ，・・・（図１参照）が利用者Ｐａ，・・・（図１参照）に携帯される。すなわち、携帯電話機５０ａ，・・・（図１参照）が利用者Ｐａ，・・・（図１参照）の左胸ポケットに入れられる。図２に示すような携帯電話機５０ａ，・・・のマイクロ波ドップラーセンサ１０ａ，・・・の送信部１１ａ，・・・が、利用者Ｐａ，・・・（図１参照）に向けてマイクロ波を送信する。マイクロ波ドップラーセンサ１０ａ，・・・の受信部１２ａ，・・・が、反射波を受信する。マイクロ波ドップラーセンサ１０ａ，・・・の増幅部１５ａ，・・・が、マイクロ波の信号を、送信部１１ａ，・・・から受け取る。マイクロ波ドップラーセンサ１０ａ，・・・の増幅部１５ａ，・・・が、反射波の信号を、受信部１２ａ，・・・から受け取る。マイクロ波ドップラーセンサ１０ａ，・・・の増幅部１５ａ，・・・が、マイクロ波の信号及び反射波の信号を増幅する。マイクロ波ドップラーセンサ１０ａ，・・・の演算部１６ａ，・・・が、マイクロ波に関する信号を、処理部１３ａ，・・・を経由して増幅部１５ａ，・・・から受け取る。マイクロ波ドップラーセンサ１０ａ，・・・の演算部１６ａ，・・・が、反射波に関する信号を、処理部１３ａ，・・・を経由して増幅部１５ａ，・・・から受け取る。マイクロ波ドップラーセンサ１０ａ，・・・の演算部１６ａ，・・・が、変化情報（図７参照）を演算する。変化情報（図７参照）が、マイクロ波に関する信号に対する反射波に関する信号の変化に関する情報である。マイクロ波ドップラーセンサ１０ａ，・・・の抽出部１４ａ，・・・が、変化情報（図７参照）を、処理部１３ａ，・・・を経由して演算部１６ａ，・・・から受け取る。マイクロ波ドップラーセンサ１０ａ，・・・の抽出部１４ａ，・・・が、変化情報（図７参照）に基づいて、帯域情報（図７のＰ１〜Ｐ４参照）を抽出する。マイクロ波ドップラーセンサ１０ａ，・・・の分析部１７ａ，・・・が、帯域情報（図７のＰ１〜Ｐ４参照）を、処理部１３ａ，・・・経由で抽出部１４ａ，・・・から受け取る。マイクロ波ドップラーセンサ１０ａ，・・・の分析部１７ａ，・・・が、帯域情報（図７のＰ１〜Ｐ４参照）に基づいて、利用者Ｐａ，・・・（図１参照）の心拍による微弱な体動を分析する。これにより、マイクロ波ドップラーセンサ１０ａ，・・・の分析部１７ａ，・・・が、帯域情報（図７のＰ１〜Ｐ４参照）に基づいて、心拍情報（図８参照）を分析する。マイクロ波ドップラーセンサ１０ａ，・・・の判定部１８ａ，・・・が、心拍情報（図８参照）を、処理部１３ａ，・・・を経由して分析部１７ａ，・・・から受け取る。マイクロ波ドップラーセンサ１０ａ，・・・の判定部１８ａ，・・・が、心拍情報（図８参照）に基づいて、利用者Ｐａ，・・・（図１参照）の異常を判定する。出力装置２０ａ，・・・が、体動情報に基づいた情報すなわち心拍情報（図８参照）を、マイクロ波ドップラーセンサ１０ａ，・・・から受け取る。出力装置２０ａ，・・・が、体動情報に基づいて、心拍情報（図８参照）を出力する。
【００９１】
したがって、心拍情報（図８参照）に基づいて利用者Ｐａ，・・・（図１参照）の異常を判定するので、心拍情報（図８参照）とともに利用者Ｐａ，・・・（図１参照）の異常に関する情報も出力することが可能である。このため、利用者Ｐａ，・・・（図１参照）の健康を管理することが可能である。
（９）
ここでは、携帯電話機５０ａ，・・・（図１参照）が利用者Ｐａ，・・・（図１参照）に携帯される。すなわち、携帯電話機５０ａ，・・・（図１参照）が利用者Ｐａ，・・・（図１参照）の左胸ポケットに入れられる。図２に示すような携帯電話機５０ａ，・・・のマイクロ波ドップラーセンサ１０ａ，・・・の送信部１１ａ，・・・が、利用者Ｐａ，・・・（図１参照）に向けてマイクロ波を送信する。マイクロ波ドップラーセンサ１０ａ，・・・の受信部１２ａ，・・・が、反射波を受信する。マイクロ波ドップラーセンサ１０ａ，・・・の増幅部１５ａ，・・・が、マイクロ波の信号を、送信部１１ａ，・・・から受け取る。マイクロ波ドップラーセンサ１０ａ，・・・の増幅部１５ａ，・・・が、反射波の信号を、受信部１２ａ，・・・から受け取る。マイクロ波ドップラーセンサ１０ａ，・・・の増幅部１５ａ，・・・が、マイクロ波の信号及び反射波の信号を増幅する。マイクロ波ドップラーセンサ１０ａ，・・・の演算部１６ａ，・・・が、マイクロ波に関する信号を、処理部１３ａ，・・・を経由して増幅部１５ａ，・・・から受け取る。マイクロ波ドップラーセンサ１０ａ，・・・の演算部１６ａ，・・・が、反射波に関する信号を、処理部１３ａ，・・・を経由して増幅部１５ａ，・・・から受け取る。マイクロ波ドップラーセンサ１０ａ，・・・の演算部１６ａ，・・・が、変化情報（図７参照）を演算する。変化情報（図７参照）が、マイクロ波に関する信号に対する反射波に関する信号の変化に関する情報である。マイクロ波ドップラーセンサ１０ａ，・・・の抽出部１４ａ，・・・が、変化情報（図７参照）を、処理部１３ａ，・・・を経由して演算部１６ａ，・・・から受け取る。マイクロ波ドップラーセンサ１０ａ，・・・の抽出部１４ａ，・・・が、変化情報（図７参照）に基づいて、帯域情報（図７のＰ１〜Ｐ４参照）を抽出する。マイクロ波ドップラーセンサ１０ａ，・・・の分析部１７ａ，・・・が、帯域情報（図７のＰ１〜Ｐ４参照）を、処理部１３ａ，・・・経由で抽出部１４ａ，・・・から受け取る。マイクロ波ドップラーセンサ１０ａ，・・・の分析部１７ａ，・・・が、帯域情報（図７のＰ１〜Ｐ４参照）に基づいて、利用者Ｐａ，・・・（図１参照）の心拍による微弱な体動を分析する。これにより、マイクロ波ドップラーセンサ１０ａ，・・・の分析部１７ａ，・・・が、帯域情報（図７のＰ１〜Ｐ４参照）に基づいて、心拍情報（図８参照）を分析する。マイクロ波ドップラーセンサ１０ａ，・・・の判定部１８ａ，・・・が、心拍情報（図８参照）を、処理部１３ａ，・・・を経由して分析部１７ａ，・・・から受け取る。マイクロ波ドップラーセンサ１０ａ，・・・の判定部１８ａ，・・・が、心拍情報（図８参照）に基づいて、利用者Ｐａ，・・・（図１参照）の異常を判定する。出力装置２０ａ，・・・が、体動情報に基づいた情報すなわち心拍情報（図８参照）を、マイクロ波ドップラーセンサ１０ａ，・・・から受け取る。出力装置２０ａ，・・・が、体動情報に基づいて、心拍情報（図８参照）を出力する。出力装置２０ａ，・・・が、マイクロ波ドップラーセンサ１０ａ，・・・の判定部１８ａ，・・・が判定した結果に基づいて、心拍情報（図８参照）を出力する。
【００９２】
したがって、マイクロ波ドップラーセンサ１０ａ，・・・の判定部１８ａ，・・・が判定した結果に基づいて心拍情報（図８参照）を出力するので、心拍情報（図８参照）とともに利用者Ｐａ，・・・（図１参照）の異常に関する情報も出力することが可能である。このため、利用者の健康を管理することが可能である。
（１０）
ここでは、携帯電話機５０ａ，・・・（図１参照）が利用者Ｐａ，・・・（図１参照）に携帯される。すなわち、携帯電話機５０ａ，・・・（図１参照）が利用者Ｐａ，・・・（図１参照）の左胸ポケットに入れられる。マイクロ波ドップラーセンサ１０ａ，・・・が、体動情報を利用者Ｐａ，・・・（図１参照）に非接触で測定する。体動情報に基づいて、心拍情報（図８参照）を分析することが可能である。出力装置２０ａ，・・・が、体動情報に基づいた情報すなわち心拍情報（図８参照）を、マイクロ波ドップラーセンサ１０ａ，・・・から受け取る。出力装置２０ａ，・・・の送信出力部２１ａ，・・・が、体動情報に基づいて、心拍情報（図８参照）を無線電話回線経由で送信することにより、心拍情報（図８参照）を出力する。
【００９３】
したがって、心拍情報（図８参照）を無線電話回線経由で送信するので、携帯電話機５０ａ，・・・（図１参照）を携帯しながら心拍情報（図８参照）を出力することが可能である。また、利用者Ｐａ，・・・（図１参照）に異常があった場合に心拍情報（図８参照）をすぐに出力することが可能である。
（１１）
ここでは、利用者Ｐａ，・・・（図１参照）が複数存在する。携帯電話機５０ａ，・・・（図１参照）が利用者Ｐａ，・・・（図１参照）に携帯される。図２に示すような携帯電話機５０ａ，・・・のマイクロ波ドップラーセンサ１０ａ，・・・が、体動情報を利用者Ｐａ，・・・（図１参照）に非接触で測定する。体動情報に基づいて、心拍情報（図８参照）が分析される。携帯電話機５０ａ，・・・の出力装置２０ａ，・・・が、体動情報に基づいた情報すなわち心拍情報（図８参照）を、マイクロ波ドップラーセンサ１０ａ，・・・から受け取る。携帯電話機５０ａ，・・・の出力装置２０ａ，・・・の送信出力部２１ａ，・・・が、体動情報に基づいて、心拍情報（図８参照）を無線電話回線経由で送信することにより、心拍情報（図８参照）を出力する。携帯電話機５０ａ，・・・の出力装置２０ａ，・・・の送信出力部２１ａ，・・・が、識別情報４１ａ，・・・を、無線電話回線経由で送信することによりさらに出力する。管理センタ６０が、携帯電話機５０ａ，・・・から送信された心拍情報（図８参照）を、無線電話回線経由で受信する。管理センタ６０が、識別情報４１ａ，・・・を、無線回線経由で携帯型測定機器からさらに受信する。
【００９４】
したがって、管理センタ６０が心拍情報（図８参照）と識別情報４１ａ，・・・とを受信するので、複数の利用者Ｐａ，・・・（図１参照）の健康が集中的に管理される。
＜第１実施形態の変形例＞
（Ａ）心拍情報は、図７に示すようなストレス度に関する情報でなくてもよい。例えば、単位時間における心拍数に関する情報でもよいし、単位時間における呼吸数に関する情報でもよいし、心拍間隔に関する情報でもよいし、覚醒度に関する情報でもよいし、疲労度に関する情報でもよい。変化情報は、図７に示すような周波数の変化に関する情報でなくてもよい。例えば、波長の変化に関する情報、スペクトル線の広がりの変化に関する情報などであってもよい。
【００９５】
（Ｂ）図２に示す増幅部１５ａ，・・・は、マイクロ波の信号及び反射波の信号の一方を増幅してもよい。例えば、マイクロ波の信号が十分に強い場合、増幅部１５ａ，・・・は、反射波の信号のみを増幅してもよい。例えば、反射波の信号が十分に強い場合、増幅部１５ａ，・・・は、マイクロ波の信号のみを増幅してもよい。マイクロ波の信号及び反射波の信号の両方とも十分に強い場合、図２に示す増幅部１５ａ，・・・はなくてもよい。この場合、マイクロ波に関する信号は、マイクロ波の信号そのものである。反射波に関する信号は、反射波の信号そのものである。演算部１５ａ，・・・は、マイクロ波に関する信号を処理部１３ａ，・・・経由で送信部１１ａ，・・・から受け取ることになる。演算部１５ａ，・・・は、反射波に関する信号を処理部１３ａ，・・・経由で受信部１２ａ，・・・から受け取ることになる。
【００９６】
（Ｃ）図２に示す携帯電話機５０ａは、図１０に示す携帯電話機５０ａａであってもよい。すなわち、携帯電話機５０ａａは、制御装置３０ａをさらに備える。マイクロ波ドップラーセンサ１０ａは、処理部１３ａ，抽出部１４ａ，増幅部１５ａ，演算部１６ａ，分析部１７ａ及び判定部１８ａを備えない。制御装置３０ａは、主として処理部３１ａ，抽出部３２ａ，増幅部３３ａ，演算部３４ａ，分析部３５ａ及び判定部３６ａを備える。この場合、制御装置３０ａとして、携帯電話機の制御に用いられる装置を兼用してもよい。なお、他の携帯電話機５０ｂ，・・・についても、携帯電話機５０ａと同様である。
【００９７】
（Ｄ）図２に示す携帯電話機５０ａは、図１１に示す携帯電話機５０ａｂであってもよい。すなわち、携帯電話機５０ａｂは、出力装置２０ａの代わりに、出力装置２０ａｂを備える。出力装置２０ａｂは、主として送信出力部２１ａｂを備える。
出力装置２０ａｂの送信出力部２１ａｂが、心拍情報（図８参照）と識別情報４１ａとをマイクロ波ドップラーセンサ１０ａから受け取る。送信出力部２１ａｂが、心拍情報（図８参照）と識別情報４１ａとを、無線電話回線経由でＷＥＢサーバ７０へ送信する。ＷＥＢサーバ７０は、心拍情報（図８参照）と識別情報４１ａとを、インターネット回線を経由して管理センタ６０ａへ送信する。
【００９８】
（Ｅ）図９に示す管理情報６１では、心拍情報欄６１２に情報が記録されていることが同時に利用者Ｐａ，・・・（図１参照）に異常があったことを示しているが、さらに異常欄６１３（図示せず）を設けるようにしてもよい。このとき、図４に示すステップＳ８では、利用者Ｐａ，・・・（図１参照）に異常があると判定された場合、利用者Ｐａ，・・・（図１参照）に異常がある旨の情報が判定部１８ａ，・・・から処理部１３ａ，・・・へ渡される。利用者Ｐａ，・・・（図１参照）に異常がないと判定された場合、何の情報も判定部１８ａ，・・・から処理部１３ａ，・・・へ渡されない。いずれの場合もステップＳ９へ進められる。図４に示すステップＳ９では、利用者Ｐａ，・・・（図１参照）に異常がある旨の情報を処理部１３ａ，・・・が受け取った場合、送信出力部２１ａにより、利用者Ｐａ，・・・（図１参照）に異常がある旨の情報が、無線電話回線経由で管理センタ６０へさらに送信される。これらの点で第１実施形態と異なる。この場合でも、図９に示す管理情報６１に異常欄６１３（図示せず）がさらに設けられているので、利用者Ｐａ，・・・（図１参照）に異常があるか否かを把握することができる。
【００９９】
また、管理情報６１では、図９に示すように、時刻情報欄６１３をさらに備えてもよい。この場合、図６に示す管理センタにおける処理において、ステップＳ３２の後に利用者Ｐａ，Ｐｂ，・・・毎に異常時における心拍情報（心拍情報欄６１２の情報）の傾向が分析されてもよい。
（Ｆ）図１に示す管理センタ６０は、例えば、医療機関であってもよいし、会社の健康管理センタのようなものであってもよい。
【０１００】
（Ｇ）図４，図５に示す携帯電話機における処理において、図５で示すステップＳ１８の後に、携帯電話機５０ａ，・・・から利用者Ｐａ，・・・へ異常があった旨が報知されてもよい。図２に示す記憶装置４０ａは、心拍情報４２ａをさらに記憶してもよい。
［第２実施形態］
本発明の第２実施形態に係る健康管理システム１００の概念図を図１２に示す。また、本発明の第２実施形態に係る健康管理システム１００の各構成要素の構成図を図１３に示す。図１２，図１３において、図１，図２の健康管理システム１の構成要素と同様の構成要素は同じ番号で示してある。図１２に示す健康管理システム１００は、主として携帯型測定機器群１５０（１５０ａ，１５０ｂ，・・・）を携帯する利用者群Ｐ（Ｐａ，Ｐｂ，・・・）の健康を管理するためのシステムである。
【０１０１】
この健康管理システム１００は、図１２，図１３に示すように、基本的な構造は第１実施形態と同様であり各構成要素は図２と同様であるが、図１２に示す携帯型測定機器１５０ａ，・・・の構成と、携帯電話機群１７０（１７０ａ，１７０ｂ，・・・）がさらに備えられている点とで第１実施形態と異なる。すなわち、図１３に示すように、携帯型測定機器１５０ａ，・・・は、記憶装置４０ａ，・・・（図２参照）を備えていない。出力装置１２０ａの送信出力部１２１ａが、心拍情報（図８参照）をマイクロ波ドップラーセンサ１０ａから受け取る。送信出力部１２１ａが、心拍情報（図８参照）を、無線回線経由で携帯電話機１７０ａ，・・・へ送信する。携帯電話機１７０ａ，・・・は、心拍情報（図８参照）を、無線回線経由で携帯型測定機器１５０ａ，・・・から受信する。携帯電話機１７０ａ，・・・には、主として識別情報１７１ａ，・・・が記憶されている。携帯電話機１７０ａ，・・・は、心拍情報（図８参照）と識別情報１７１ａ，・・・とを、無線電話回線を経由して管理センタ６０へ送信する。これらの点で第１実施形態と異なる。
【０１０２】
また、図１２に示す健康管理システム１００が携帯型測定機器群１５０（１５０ａ，１５０ｂ，・・・）を携帯する利用者群Ｐ（Ｐａ，Ｐｂ，・・・）の健康を管理する処理の流れが、次の点で第１実施形態と異なる。なお、健康管理システム１００が携帯型測定機器１５０ａを携帯する利用者Ｐａの健康を管理する場合について説明するが、健康管理システム１００が携帯型測定機器１５０ｂ，・・・を携帯する利用者Ｐｂ，・・・の健康を管理する場合も同様である。図１４，図１５，図１６において、図３，図４に示す第１実施形態と同様の処理は、同じ番号で示してある。
【０１０３】
図１４に示すステップＳ１０では、携帯型測定機器１５０ａにおける処理が行われる。
図１４に示すステップＳ６０では、携帯型測定機器１５０ａがＯＦＦされるか否かが判断される。携帯型測定機器１５０ａがＯＦＦされると判断された場合、処理が終了され、携帯型測定機器１５０ａがＯＦＦされないと判断された場合、ステップＳ４０へ進められる。
【０１０４】
図１５に示すステップＳ１１では、携帯型測定機器が携帯される。すなわち、利用者Ｐａ（図１２参照）の左胸ポケットに携帯型測定機器１５０ａが入れられる。このようにして、利用者Ｐａ（図１２参照）により携帯型測定機器１５０ａが携帯される。また、利用者Ｐａ（図１２参照）の腰のベルトに携帯電話機１７０ａが取り付けられる。あるいは、利用者Ｐａ（図１２参照）のズボンのポケットに携帯電話機１７０ａが入れられる。このようにして、利用者Ｐａ（図１２参照）により携帯電話機１７０ａがさらに携帯される。（図１５で示す（１））。
【０１０５】
図１６に示すステップＳ１２では、心拍情報と識別情報とが送信される。すなわち、図１２に示す携帯型測定機器１５０ａのマイクロ波ドップラーセンサ１０ａの処理部１３ａにより、心拍情報（図８参照）が、分析部１７ａから受け取られ、出力装置１２０ａへ渡される。出力装置１２０ａの送信出力部１２１ａにより、心拍情報（図８参照）がマイクロ波ドップラーセンサ１０ａから受け取られる。送信出力部１２１ａにより、心拍情報（図８参照）が、無線回線経由で携帯電話機１７０ａへ送信される。携帯電話機１７０ａにより、心拍情報（図８参照）が、無線回線経由で携帯型測定機器１５０ａから受信される。携帯電話機１７０ａには、主として識別情報１７１ａが記憶されている。携帯電話機１７０ａにより、心拍情報（図８参照）と識別情報１７１ａ，・・・とが、無線電話回線を経由して管理センタ６０へ送信される。
【０１０６】
体動情報を利用者Ｐａ，・・・（図１２参照）に非接触で測定するので、利用者Ｐａ，・・・（図１２参照）の左胸ポケットに携帯型測定機器１５０ａ，・・・を入れて利用者Ｐａ，・・・（図１２参照）の心拍による微弱な体動を測定することにより、心拍情報（図８参照）を利用者Ｐａ，・・・（図１２参照）に非接触で測定して心拍情報（図８参照）を出力することが可能である点は、第１実施形態と同様である。したがって、このような健康管理システム１００によっても、利用者Ｐａ，・・・（図１２参照）の生体情報を測定するための装置を利用者Ｐａ，・・・（図１２参照）に装着せずに利用者Ｐａ，・・・（図１２参照）の健康を管理することが可能である。
【０１０７】
＜第２実施形態の変形例＞
（Ａ）図１２に示す携帯電話機１７０ａ，・・・は、利用者Ｐａ，・・・に携帯されていなくてもよい。すなわち、利用者Ｐａ，・・・から離れた利用者Ｐａ，・・・付近の場所に置かれていてもよい。あるいは、携帯電話機１７０ａ，・・・は、固定電話機であってもよいし、無線ゲートウェイなどであってもよい。無線ゲートウェイである場合は、無線ゲートウェイで受信後にインターネット回線を介して管理センタ６０に情報が送信されてもよいし、無線ゲートウェイで受信後にパソコンなどを経由してからインターネット回線を介して管理センタ６０に情報が送信されてもよい。
【０１０８】
（Ｂ）図１３に示す携帯型測定機器１５０ａ，・・・は、記憶装置４０ａ，・・・（図２参照）をさらに備えていてもよい。この場合、携帯型測定機器１５０ａ，・・・の出力装置１２０ａ，・・・の送信出力部１２１ａ，・・・は、記憶装置２４０ａ，・・・を参照して、識別情報４１ａ，・・・（図２参照）を記憶装置４０ａ，・・・（図２参照）から受け取り、識別情報４１ａ，・・・（図２参照）を無線回線経由で携帯電話機１７０ａ，・・・へさらに送信する。携帯電話機１７０ａ，・・・は、識別情報４１ａ，・・・（図２参照）を識別情報１７１ａ，・・・とすることになる。また、携帯型測定機器１５０ａ，・・・は、携帯電話機であってもよい。
【０１０９】
［第３実施形態］
本発明の第３実施形態に係る健康管理システム２００の概念図を図１７に示す。また、本発明の第３実施形態に係る健康管理システム２００の各構成要素の構成図を図１８に示す。図１７，図１８において、図１，図２の健康管理システム１の構成要素と同様の構成要素は同じ番号で示してある。図１７に示す健康管理システム２００は、主として携帯型測定機器群２５０（２５０ａ，２５０ｂ，・・・）を携帯する利用者群Ｐ（Ｐａ，Ｐｂ，・・・）の健康を管理するためのシステムである。
【０１１０】
この健康管理システム２００は、図１７，図１８に示すように、基本的な構造は第１実施形態と同様であり各構成要素は図２と同様であるが、図１７に示す携帯型測定機器２５０ａ，２５０ｂ，・・・の構成と、読み出し機器２８０がさらに備えられている点と、で第１実施形態と異なる。すなわち、図１８に示すように、記憶装置２４０ａ，・・・には、心拍情報２４２ａ，・・・がさらに記憶されている。出力装置２２０ａ，・・・の出力部２２１ａ，・・・が、読み出し機器２８０からデータ読み出しの指令を受けて、データ読み出しの指令をマイクロ波ドップラーセンサ２１０ａ，・・・の処理部２１３ａ，・・・へ渡す。処理部２１３ａ，・・・は、記憶装置２４０ａ，・・・を参照して、識別情報４１ａ，・・・と心拍情報２４２ａ，・・・とを記憶装置２４０ａ，・・・から受け取り、識別情報４１ａ，・・・と心拍情報２４２ａ，・・・とを出力装置２２０ａ，・・・の出力部２２１ａ，・・・へ渡す。出力部２２１ａが、識別情報４１ａ，・・・と心拍情報２４２ａ，・・・とを、無線回線経由で読み出し機器２８０へ送信する。読み出し機器２８０は、識別情報４１ａ，・・・と心拍情報２４２ａ，・・・とを、管理センタ２６０へ渡す。これらの点で第１実施形態と異なる。
【０１１１】
また、図１７に示す健康管理システム２００が携帯型測定機器群２５０（２５０ａ，２５０ｂ，・・・）を携帯する利用者群Ｐ（Ｐａ，Ｐｂ，・・・）の健康を管理する処理の流れが、次の点で第１実施形態と異なる。なお、健康管理システム２００が携帯型測定機器２５０ａを携帯する利用者Ｐａの健康を管理する場合について説明するが、健康管理システム２００が携帯型測定機器２５０ｂ，・・・を携帯する利用者Ｐｂ，・・・の健康を管理する場合も同様である。図１９，図２０において、図３，図４に示す第１実施形態と同様の処理は、同じ番号で示してある。
【０１１２】
図１９に示すステップＳ２１では、携帯型測定機器が携帯される。すなわち、利用者Ｐａ（図１７参照）の左胸ポケットに携帯型測定機器２５０ａが入れられる。このようにして、利用者Ｐａ（図１７参照）により携帯型測定機器２５０ａが携帯される。（図１９で示す（１））。
図２０に示すステップＳ２２では、利用者に異常があるか否かが判断される。すなわち、図１８に示す携帯型測定機器２５０ａのマイクロ波ドップラーセンサ２１０ａの判定部１８ａにより、心拍情報（図８参照）が、処理部１３ａ経由で分析部１７ａから受け取られる。判定部１８ａにより、心拍情報（図８参照）に基づいて、利用者Ｐａ（図１参照）の異常が判定される。利用者に異常があると判定された場合、ステップＳ２３へ進められ、利用者に異常がないと判定された場合、ステップＳ２４へ進められる。
【０１１３】
図２０に示すステップＳ２３では、心拍情報が記憶される。すなわち、図１８に示す携帯型測定機器２５０ａの記憶装置２４０ａにより、心拍情報（図８参照）が、マイクロ波ドップラーセンサ２１０ａの処理部２１３ａを経由して分析部１７ａから受け取られる。記憶装置２４０ａにより、心拍情報（図８参照）が、心拍情報２４２ａとして記憶される。
【０１１４】
図２０に示すステップＳ２４では、読み出しが行われるか否かが判断される。読み出しが行われると判定された場合、ステップＳ２５へ進められ、読み出しが行われないと判定された場合、ステップＳ２（図２０，図１９で示す（１））へ進められる。
図２０に示すステップＳ２５では、心拍情報と識別情報とが読み出される。すなわち、図２に示す携帯型測定機器２５０ａの出力装置２２０ａの出力部２２１ａにより、読み出し機器２８０からデータ読み出しの指令が受けられて、データ読み出しの指令がマイクロ波ドップラーセンサ２１０ａの処理部２１３ａへ渡される。処理部２１３ａにより、記憶装置２４０ａが参照されて、識別情報４１ａと心拍情報２４２ａとが記憶装置２４０ａから受け取られ、識別情報４１ａ，・・・と心拍情報２４２ａ，・・・とが出力装置２２０ａの出力部２２１ａへ渡される。出力部２２１ａにより、識別情報４１ａと心拍情報２４２ａとが、無線回線経由で読み出されて機器２８０へ送信される。読み出し機器２８０により、識別情報４１ａと心拍情報２４２ａとが、管理センタ２６０へ渡される。
【０１１５】
体動情報を図１７に示す利用者Ｐａ，・・・に非接触で測定するので、利用者Ｐａ，・・・の左胸ポケットに携帯型測定機器２５０ａ，・・・を入れて利用者Ｐａ，・・・の心拍による微弱な体動を測定することにより、心拍情報（図８参照）を利用者Ｐａ，・・・に非接触で測定して心拍情報（図８参照）を出力することが可能である点は、第１実施形態と同様である。したがって、このような健康管理システム２００によっても、利用者Ｐａ，・・・の生体情報を測定するための装置を利用者Ｐａ，・・・に装着せずに利用者Ｐａ，・・・の健康を管理することが可能である。
【０１１６】
＜第３実施形態の変形例＞
（Ａ）図１８に示す出力装置２２０ａ，・・・の出力部２２１ａは、識別情報４１ａ，・・・と心拍情報２４２ａ，・・・とを、無線回線経由で読み出し機器２８０へ送信しなくてもよい。すなわち、読み出し機器２８０が出力装置２２０ａへ接続されることにより、出力部２２１ａが、識別情報４１ａ，・・・と心拍情報２４２ａ，・・・とを、読み出し機器２８０へ出力してもよい。すなわち、出力装置２２０ａは、非接触型ＩＣタグのようなインターフェースを備えていてもよいし、接触型ＩＣタグのようなインターフェースを備えていてもよい。
【０１１７】
［第４実施形態］
本発明の第４実施形態に係る健康管理システム３００の概念図を図２１に示す。また、本発明の第４実施形態に係る健康管理システム３００の各構成要素の構成図を図２２に示す。図２１，図２２において、図１，図２の健康管理システム１の構成要素と同様の構成要素は同じ番号で示してある。図２１に示す健康管理システム３００は、主として携帯型測定機器群２５０（２５０ａ，２５０ｂ，・・・）を携帯する利用者群Ｐ（Ｐａ，Ｐｂ，・・・）の健康を管理するためのシステムである。
【０１１８】
この健康管理システム３００は、図２１，図２２に示すように、基本的な構造は第１実施形態及び第３実施形態と同様であり各構成要素は図２及び図１８と同様であるが、図２１に示す読み出し機器３８０に携帯電話機３７０が接続されている点で、第１実施形態及び第３実施形態と異なる。すなわち、図２２に示す読み出し機器３８０は、識別情報４１ａ，・・・と心拍情報２４２ａ，・・・とを、携帯電話機３７０へ渡す。携帯電話機３７０は、識別情報４１ａ，・・・と心拍情報２４２ａ，・・・とを、無線電話回線で管理センタ６０へ送信する。これらの点で第１実施形態及び第３実施形態と異なる。
【０１１９】
体動情報を図２１に示す利用者Ｐａ，・・・に非接触で測定するので、利用者Ｐａ，・・・の左胸ポケットに携帯型測定機器２５０ａ，・・・を入れて利用者Ｐａ，・・・の心拍による微弱な体動を測定することにより、心拍情報（図８参照）を利用者Ｐａ，・・・に非接触で測定して心拍情報（図８参照）を出力することが可能である点は、第１実施形態と同様である。したがって、このような健康管理システム３００によっても、利用者Ｐａ，・・・の生体情報を測定するための装置を利用者Ｐａ，・・・に装着せずに利用者Ｐａ，・・・の健康を管理することが可能である。
【０１２０】
［第５実施形態］
本発明の第５実施形態に係る健康管理システム４００の概念図を図２３に示す。また、本発明の第５実施形態に係る健康管理システム４００の各構成要素の構成図を図２４に示す。図２３，図２４において、図１，図２の健康管理システム１の構成要素と同様の構成要素は同じ番号で示してある。図２３に示す健康管理システム４００は、主として携帯型測定機器群４５０（４５０ａ，４５０ｂ，・・・）を携帯する利用者群Ｐ（Ｐａ，Ｐｂ，・・・）の健康を管理するためのシステムである。
【０１２１】
この健康管理システム４００は、図２３，図２４に示すように、基本的な構造は第１実施形態及び第３実施形態と同様であり各構成要素は図２及び図１８と同様であるが、図２３に示す携帯型測定機器４５０ａ，４５０ｂ，・・・が利用者Ｐａ，Ｐｂ，・・・の上着に埋め込まれている点で、第１実施形態及び第３実施形態と異なる。すなわち、図２４に示す携帯型測定機器４５０ａ，・・・は、太陽電池４５１ａ，・・・をさらに備える。太陽電池４５１ａ，・・・は、マイクロ波ドップラーセンサ２１０ａ，・・・に電力を供給する。したがって、携帯型測定機器４５０ａ，・・・が埋め込まれた上着を利用者Ｐａ，・・・が着るだけで、心拍情報（図８参照）を利用者Ｐａ，・・・に非接触で測定して心拍情報（図８参照）を出力することが可能である。これらの点で第１実施形態及び第３実施形態と異なる。
【０１２２】
体動情報を図２３に示す利用者Ｐａ，・・・に非接触で測定するので、利用者Ｐａ，・・・の心拍による微弱な体動を測定することにより、心拍情報（図８参照）を利用者Ｐａ，・・・に非接触で測定して心拍情報（図８参照）を出力することが可能である点は、第１実施形態と同様である。したがって、このような健康管理システム４００によっても、利用者Ｐａ，・・・の生体情報を測定するための装置を利用者Ｐａ，・・・に装着せずに利用者Ｐａ，・・・の健康を管理することが可能である。
【産業上の利用可能性】
【０１２３】
本発明にかかる携帯型測定機器、健康管理システム及び健康管理方法は、利用者の生体情報を測定するための装置を利用者に装着せずに連続的に利用者の健康を管理することができるという効果を有し、携帯型測定機器、健康管理システム及び健康管理方法等として有用である。
【図面の簡単な説明】
【０１２４】
【図１】本発明の第１実施形態による健康管理システムの概念図。
【図２】本発明の第１実施形態による健康管理システムの構成要素の構成図。
【図３】健康管理システムが携帯電話機群を携帯する利用者群の健康を管理する処理の流れを示すフローチャート。
【図４】携帯電話機における処理の流れを示すフローチャート。
【図５】携帯電話機における処理の流れを示すフローチャート。
【図６】管理センタにおける処理の流れを示すフローチャート。
【図７】変化情報の構成を示す概念図。
【図８】心拍情報の構成を示す概念図。
【図９】管理情報の構成を示す概念図。
【図１０】本発明の第１実施形態による健康管理システムの構成要素の構成図。
【図１１】本発明の第１実施形態による健康管理システムの構成要素の構成図。
【図１２】本発明の第２実施形態による健康管理システムの概念図。
【図１３】本発明の第２実施形態による健康管理システムの構成要素の構成図。
【図１４】健康管理システムが携帯電話機群を携帯する利用者群の健康を管理する処理の流れを示すフローチャート。
【図１５】携帯電話機における処理の流れを示すフローチャート。
【図１６】携帯電話機における処理の流れを示すフローチャート。
【図１７】本発明の第３実施形態による健康管理システムの概念図。
【図１８】本発明の第３実施形態による健康管理システムの構成要素の構成図。
【図１９】携帯型測定機器における処理の流れを示すフローチャート。
【図２０】携帯型測定機器における処理の流れを示すフローチャート。
【図２１】本発明の第４実施形態による健康管理システムの概念図。
【図２２】本発明の第４実施形態による健康管理システムの構成要素の構成図。
【図２３】本発明の第５実施形態による健康管理システムの概念図。
【図２４】本発明の第５実施形態による健康管理システムの構成要素の構成図。
【符号の説明】
【０１２５】
１，１００，２００，３００，４００  健康管理システム
５０  携帯電話機群
１５０，２５０，４５０  携帯型測定機器群
６０，２６０  管理センタ
１７０，３７０  携帯電話機群
２８０，３８０  読み出し機器
【図１】
2005237569.tif 000003
【図２】
2005237569.tif 000004
【図３】
2005237569.tif 000005
【図４】
2005237569.tif 000006
【図５】
2005237569.tif 000007
【図６】
2005237569.tif 000008
【図７】
2005237569.tif 000009
【図８】
2005237569.tif 000010
【図９】
2005237569.tif 000011
【図１０】
2005237569.tif 000012
【図１１】
2005237569.tif 000013
【図１２】
2005237569.tif 000014
【図１３】
2005237569.tif 000015
【図１４】
2005237569.tif 000016
【図１５】
2005237569.tif 000017
【図１６】
2005237569.tif 000018
【図１７】
2005237569.tif 000019
【図１８】
2005237569.tif 000020
【図１９】
2005237569.tif 000021
【図２０】
2005237569.tif 000022
【図２１】
2005237569.tif 000023
【図２２】
2005237569.tif 000024
【図２３】
2005237569.tif 000025
【図２４】
2005237569.tif 000026